(57)【特許請求の範囲】
【請求項１】
コネクタが配置された基板と、
前記基板を内側に配置可能に形成されたケースと、を備えた遊技機であって、
前記ケースは、天板部と、側板部と、前記天板部の前記コネクタに対応する位置に形成されたコネクタ開口部と、を備え、
前記基板は、前記ケースの内側に配置されており、
前記基板の短手方向に沿う方向を第１の方向とした場合に、
前記第１の方向における、前記コネクタ開口部の開口寸法と、前記コネクタの外形寸法との差を第１の差とし、
前記第１の方向における、前記側板部間の寸法と、前記基板の外形寸法との差を第２の差とすると、
前記第１の差が前記第２の差よりも大きく、
前記第１の方向に沿って前記基板がずれ、前記基板が前記側板部に接触した場合であっても、前記コネクタは前記コネクタ開口部に接触しない
ことを特徴とする遊技機。
【発明の詳細な説明】
【技術分野】
【０００１】
本発明は、遊技機に関する。
【背景技術】
【０００２】
遊技機として、複数の図柄が配列された複数のリール、スタートレバー、およびストップボタン等を備えたスロットマシンが知られている。スロットマシンでは、遊技媒体（メダル）がベットされた後、スタートレバーが操作されたことを検出すると、複数のリールの回転が開始する。また、各リールに対応して設けられたストップボタンが操作されたことを検出すると、当該ストップボタンに対応するリールの回転が停止する。このとき、払い出しの対象となる有効ライン上に当選役に対応する図柄組み合わせが表示されると、所定枚数のメダルが払い出される等、遊技者に遊技上の利益が付与される。
【０００３】
また、遊技機として、遊技盤、および発射装置等を備えたパチンコ遊技機が知られている。パチンコ遊技機では、遊技媒体（遊技球）が遊技盤の前面に設けられた遊技領域に発射され、遊技球が、遊技領域に設けられている入賞口に進入したことに基づき、遊技者に遊技上の利益が付与される。
このような遊技機には、基板とその基板を覆う基板ケースとを備えたものがあり、基板ケースには、基板に配置されたコネクタを露出させるための開口が設けられている（例えば、特許文献１参照）。
【先行技術文献】
【特許文献】
【０００４】
【特許文献１】特開２００６−８７７６８号公報
【発明の概要】
【発明が解決しようとする課題】
【０００５】
ところで、遊技機では、品質の低下を抑制することが求められている。
【０００６】
本発明は、上記事情に鑑みてなされたものであり、品質の低下が抑制された遊技機を提供することを目的とする。
【課題を解決するための手段】
【０００７】
上記課題を解決するために、本発明の遊技機は、
コネクタが配置された基板と、
前記基板を内側に配置可能に形成されたケースと、を備えた遊技機であって、
前記ケースは、天板部と、側板部と、前記天板部の前記コネクタに対応する位置に形成されたコネクタ開口部と、を備え、
所定方向の前記コネクタ開口部の開口寸法と、前記所定方向の前記コネクタの外形寸法との差を第１の差とし、
前記所定方向において対向する前記側板部間のケース内側寸法と、前記所定方向の前記基板の外形寸法との差を第２の差とすると、
前記第１の差が前記第２の差よりも大きいことを特徴とする。
【０００８】
このような構成によれば、基板をケースの内側に配置した状態で、仮に基板の位置がずれた場合であっても、コネクタの外周面とコネクタ開口部の内周面とが接触するよりも先に、基板の外周面とケースの側板部とが接触するため、コネクタに応力（負荷）がかかることがなく、コネクタの変形、破損や、コネクタが基板から外れるという問題の発生を防ぐことができる。これにより、遊技機の品質低下を抑制できる。
【０００９】
また、本発明の前記構成において、前記コネクタ開口部の内周面と、その内周面と対向する前記コネクタの外周面との間となる位置の前記基板には、電子部品が配置されていないことを特徴とする。
【００１０】
このような構成によれば、コネクタ開口部の内周面と、その内周面と対向するコネクタの外周面との間となる位置の基板には電子部品が配置されていない。すなわち、コネクタ開口部の内周面とコネクタの外周面との隙間の直下に電子部品が存在しない。このため、仮に当該隙間を介して器具等を差し込まれた場合であっても、器具等が電子部品に接触しない。これにより、不正に対する対策をより強化できる。
【発明の効果】
【００１１】
本発明の遊技機によれば、品質の低下を抑制することができる。
【図面の簡単な説明】
【００１２】
【図１】本発明の第１の実施の形態に係る遊技機の一例を示すもので、その斜視図である。
【図２】同、意匠部材を正面側から見た図である。
【図３】同、左方から見た上扉の一部を示す概略図である。
【図４】同、左方から見た上扉の一部を示す概略図であり、変形例を示す図である。
【図５】本発明の第２の実施の形態に係る遊技機の一例を示すもので、その斜視図である。
【図６】同、遊技盤を正面側から見た図である。
【図７】同、意匠部材を正面側から見た図である。
【図８】同、意匠部材を示すもので、図７で示したＰ方向から見た概略側面図である。
【図９】同、意匠部材を示すもので、図８で示したＱ方向から見た概略側面図である。
【図１０】本発明の遊技機に用いることが可能なサブ基板ユニットを示すもので、（ａ）は背面側から見た図であり、（ｂ）は（ａ）に示すＡ−Ａ線の概略断面図である。
【図１１】同、サブ基板を示すもので、背面側から見た図（平面図）である。
【図１２】同、音量調整スイッチを示すもので、（ａ）は背面側から見た図（平面図）であり、（ｂ）は音量調整スイッチのハウジングを背面側から見た図である。
【図１３】同、図１０（ａ）に示すＢ−Ｂ線の概略断面図である。
【図１４】同、音量調整スイッチを背面側から見た斜視図である。
【図１５】同、音量調整スイッチを背面側から見た図（平面図）である。
【図１６】本発明の遊技機に用いることが可能な液晶ユニットを示すもので、前方から見た斜視図である。
【図１７】同、分解斜視図である。
【図１８】同、液晶ユニットの液晶モジュールを背面側から見た斜視図である。
【図１９】同、液晶ユニットの液晶制御基板を背面側から見た図（平面図）である。
【図２０】同、液晶制御基板を側面から見た図である。
【図２１】同、液晶制御基板を背面側から見たもので、コネクタに配線が接続された状態を示す図である。
【図２２】同、液晶制御基板を背面側から見たもので、実装禁止領域を示す図である。
【図２３】同、液晶制御基板を背面側から見た図（平面図）である。
【図２４】本発明に係る遊技機のサブ基板ユニットの構成の一例を示すもので、（ａ）は背面側から見た概略図（平面図）であり、（ｂ）は（ａ）に示すＶ−Ｖ線の概略断面図であり、（ｃ）はサブ基板を背面側から見た概略図（平面図）である。
【図２５】同、サブ基板ユニットを背面側から見た概略図（平面図）であって、（ａ）はコネクタの開口部とケースの端部とが一致している状態を示す図であり、（ｂ）は（ａ）の変形例を示す図であり、（ｃ）は（ｂ）の状態にオスコネクタを接続した場合を示す図である。
【図２６】同、サブ基板ユニットを背面側から見た概略図（平面図）であり、別の構成例を示す図である。
【図２７】同、サブ基板ユニットを背面側から見た概略図（平面図）であり、別の構成例を示す図である。
【図２８】同、サブ基板ユニットを背面側から見た概略図（平面図）であり、別の構成例を示すものであって、（ａ）はコネクタの直上にケースが存在していない状態を示す図であり、（ｂ）は（ａ）の変形例を示す図である。
【図２９】同、サブ基板ユニットを背面側から見た概略図（平面図）であり、別の構成例を示す図である。
【図３０】本発明の遊技機に用いることが可能な配線手段における、基板と対向する側の面を示す図である。
【図３１】本発明の遊技機に用いることが可能なサブ基板ユニットの別の例を示すもので、（ａ）は背面側から見た図であり、（ｂ）は（ａ）に示すＵ−Ｕ線の概略断面図である。
【図３２】同、（ａ）は図３１（ａ）におけるＳ部の拡大図であり、（ｂ）は図３２（ａ）に示すＷ−Ｗ線の概略断面図である。
【図３３】同、図３１（ａ）に示すＴ−Ｔ線の概略断面図である。
【図３４】図１３で示したサブ基板の概略断面図の変形例を示す図である。
【図３５】本発明の第３の実施の形態に係る遊技機を示すもので、（ａ）は前面扉を外した状態の筐体を正面から見た図であり、（ｂ）はメイン裏箱基板ユニットおよびブラケットを示す、正面側から見た分解斜視図である。
【図３６】同、メイン裏箱基板ユニットを正面側から見た図である。
【図３７】同、（ａ）は図３６に示すＣ−Ｃ線の概略断面図であり、（ｂ）は図３６に示すＤ−Ｄ線の概略断面図である。
【図３８】同、メイン裏箱基板ユニットを背面側から見た図である。
【図３９】同、メイン裏箱基板ユニットのケースを背面側から見た斜視図である。
【図４０】同、（ａ）は図３８に示すＨ−Ｈ線の概略断面図であり、（ｂ）は図３８に示すＩ−Ｉ線の概略断面図である。
【図４１】本発明の第４の実施の形態に係る遊技機を示すもので、（ａ）は液晶表示装置およびリールユニットを正面側から見た斜視図であり、（ｂ）は液晶表示装置およびリールユニットを背面側から見た斜視図である。
【図４２】同、照明基板ユニットおよびその周辺部品を示すもので、正面側から見た分解斜視図である。
【図４３】同、照明基板ユニットの放熱板を正面側から見た斜視図である。
【図４４】同、照明基板ユニットにおける熱の伝わり方を説明するもので、正面側から見た分解斜視図である。
【図４５】本発明の第５の実施の形態に係る遊技機を示すもので、上扉の正面図である。
【図４６】同、液晶ディスプレイおよび意匠部材を上方から見た断面図である。
【図４７】本発明の第６の実施の形態に係る遊技機を示すもので、遊技盤を正面側から見た図である。
【図４８】同、遊技機の正面図である。
【図４９】同、図３８に示すＡ−Ａ線の概略断面図である。
【図５０】本発明の第６の実施の形態に係る遊技機を示すもので、基板を板面に垂直な方向から見た図である。
【発明を実施するための形態】
【００１３】
（第１の実施の形態）
以下、本発明の第１の実施の形態について図面を参照して説明する。なお、第１の実施の形態では遊技機の一つであるスロットマシンについて説明するが、その他の遊技機であってもよい。以下の説明において、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
なお、本願発明はその発明の範囲内において、各実施の形態の自由な組み合わせ、あるいは各実施の形態の任意の構成要素の変形、もしくは各実施の形態において任意の構成要素の省略が可能である。
【００１４】
図１に示すように、本発明のスロットマシン（遊技機）１００は、遊技者側を向く面である前面側が開口された箱状の筐体１１１と、当該筐体１１１の前面側開口を開閉する前面扉１１２とを備えている。筐体１１１には、回転自在な第１リール１３１、第２リール１３２および第３リール１３３がユニット化されたリールユニット１３０と、メダルの払い出しを行うホッパー装置等が収納されている。また、前面扉１１２は、上扉１１２ａと下扉１１２ｂとに分割されており、これら上扉１１２ａおよび下扉１１２ｂはそれぞれ筐体１１１に対して開閉自在となっている。
【００１５】
上扉１１２ａには、液晶ディスプレイ１１３、スピーカ１１４等の演出用の装置、および表示窓１１５が設けられている。液晶ディスプレイ１１３には、各種演出用の画像（動画、静止画）が表示される。スピーカ１１４からは、各種演出用の音（音楽、効果音、音声等）が出力される。なお、演出用の装置としては、液晶ディスプレイ１１３やスピーカ１１４の他にランプ（ＬＥＤ）等の電飾装置（照明装置）、アクチュエータ等で動作可能な可動役物等を設けてもよい。
【００１６】
表示窓１１５の奥には、リールユニット１３０が、その一部が表示窓１１５の外から視認可能となるように配置されている。第１リール１３１、第２リール１３２、および第３リール１３３の外周面には、複数種類の図柄が周方向に沿って一列に配置されており、各リール１３１，１３２，１３３が停止すると、表示窓１１５を介して１リール当たり３個の連続する図柄が表示される。また、表示窓１１５には、各リール１３１，１３２，１３３の図柄を視認するための表示位置として、上段、中段、下段が設けられており、各リール１３１，１３２，１３３の表示位置の組合せによって有効ラインが設定されている。なお、本実施の形態の遊技機では、第１リール１３１の中段と、第２リール１３２の中段と、第３リール１３３の中段とによって有効ラインが構成されている。また、本実施の形態の遊技機では、１回の遊技に関して必要なメダルの数（規定枚数）が、３枚に設定されており、規定枚数のメダルが投入されると、有効ラインが有効化されるようになっている。
【００１７】
スロットマシン１００では、遊技開始に伴って各リール１３１，１３２，１３３が回転を開始するとともに当選役抽選が実行されて当選役のいずれかの当選またはハズレ（不当選）が決定される。次いで、各リール１３１，１３２，１３３が停止したときに、当選役抽選で当選した当選役に対応する図柄組合せが有効ラインに表示されると、この当選役が入賞となり、入賞した当選役に対応する処理（入賞処理）が実行される。
【００１８】
下扉１１２ｂには、メダルを投入するメダル投入口１２１、クレジットされたメダルをベットするためのＭＡＸベットボタン（ベットボタン）１２２、遊技を開始する際に操作されるスタートレバー１２３、回転している各リール１３１，１３２，１３３を停止させるためのストップボタン１２４、ホッパー装置によりメダルを払い出す払い出し口１２５、払い出し口１２５から払い出されたメダルを受けるメダル受け皿１２６等が設けられている。また、メダル投入口１２１の奥には、メダル投入口１２１から投入されたメダルの通過を検知するメダルセンサが設けられている。また、下扉１１２ｂには、演出ボタン１２８が設けられている。演出ボタン１２８は、例えばプッシュスイッチおよびロータリースイッチ（ジョグダイヤル）を備えており、押下操作および回転操作が可能に構成されている。演出ボタン１２８は、操作されると演出の態様が変化するようになっており、これにより、遊技の興趣が向上する。
【００１９】
スロットマシン１００では、メダル投入口１２１にメダルが投入、または、ＭＡＸベットボタン１２２が操作されて規定枚数のメダルがベットされることで、スタートレバー１２３の操作が有効化される。また、有効化されたスタートレバー１２３が操作されると遊技が開始される。遊技が開始されると、各リール１３１，１３２，１３３が回転を開始し、各リール１３１，１３２，１３３の回転速度が一定速度に到達して定常回転となるとストップボタン１２４の操作が有効化される。また、有効化されたストップボタン１２４が操作されると、操作されたストップボタン１２４に対応する各リール１３１，１３２，１３３が停止する。
【００２０】
スロットマシン１００の内部には、主制御基板（メイン基板）と、副制御基板（サブ基板）とが設けられている。主制御基板は、ＭＡＸベットボタン１２２、スタートレバー１２３、ストップボタン１２４、メダルセンサ等の入力手段からの入力信号を受けて、遊技を実行するための各種演算を行い、演算結果に基づいてリールユニット１３０や、ホッパー装置等の出力手段の制御を行う。また、副制御基板は、主制御基板から送られてくる信号を受けて、演出を実行するための各種演算を行い、演算結果に基づいて液晶ディスプレイ１１３およびスピーカ１１４等の演出用の装置の制御を行う。
【００２１】
また、主制御基板と副制御基板とは電気的に接続されており、主制御基板から副制御基板へは遊技状態を示す情報など各種情報（信号）の送信が可能となっているが、副制御基板から主制御基板へは情報を送信できないようになっている。また、主制御基板や副制御基板等の各基板の機能は、各種のプロセッサ（ＣＰＵ、ＤＳＰ等）、ＩＣ、あるいはＲＯＭやＲＡＭ等の情報記憶媒体等のハードウェアや、ＲＯＭ等に予め記憶されている所定のプログラムからなるソフトウェアにより実現される。
【００２２】
上扉１１２ａの左側には、複数のシンボル部（例えばシンボル部１０１、シンボル部１０２、シンボル部１０３、シンボル部１０４およびシンボル部１０５：図２参照）を有する意匠部材１５０が設けられている。ただし、意匠部材１５０が設けられる位置はこの位置に限らず、前面扉１１２におけるいずれの位置であってもよい。例えば、液晶ディスプレイ１１３の上方（トップレンズ）に意匠部材１５０を設けてもよい。
【００２３】
本実施の形態では、シンボル部１０１〜１０５は、前方側（遊技者側）に向かって突出している。また、シンボル部１０１〜１０５は、それぞれの前面（先端面）の形状によって識別情報が表されている。識別情報とは、文字、図形、記号等である。以下、本実施の形態では、１つのシンボル部が１つの文字を表すものとするが、例えば１つのシンボル部が、２以上の文字を表すものであったり、文字と記号とを組み合わせたものを表すものであってもよい。
【００２４】
図２は、意匠部材１５０が設けられている部分を正面から見た図である。
シンボル部１０１〜１０５は、一連の報知情報（文字列）となっている。本実施の形態では、シンボル部１０１〜１０５によって「主役は○○」（「○○」はキャラクタの名称等を表す）という一連の報知情報が形成されている。具体的には、シンボル部１０１の先端面の形状によって「主」という１文字が表されている。また、シンボル部１０２の先端面の形状によって「役」という１文字が表されている。また、シンボル部１０３の先端面の形状によって、「は」という１文字が表されている。また、シンボル部１０４の先端面の形状によって「○」という１文字が表されている。また、シンボル部１０５の先端面の形状によって「○」という１文字が表されている。
【００２５】
シンボル部１０１〜１０３は、左右方向に並ぶように設けられている。また、そのシンボル部１０１〜１０３の下方に、シンボル部１０４、シンボル部１０５がこの順に上下方向に並ぶように設けられている。
シンボル部１０１〜１０５は、識別情報（文字）の大きさが異なるものを含むようになっている。具体的には、シンボル部１０３の文字大きさが最も小さく形成され、シンボル部１０４の文字大きさが最も大きく形成されている。また、シンボル部１０１，１０２は文字大きさが同一であり、それらの文字大きさはシンボル部１０３より大きく、シンボル部１０４，１０５より小さくなるように形成されている。また、シンボル部１０５の文字大きさは、シンボル部１０１〜１０３より大きく、シンボル部１０４より小さくなるように形成されている。すなわち、文字大きさは、（１）シンボル部１０３、（２）シンボル部１０１，１０２、（３）シンボル部１０５、（４）シンボル部１０４の順に大きくなっている。
【００２６】
図３は、左方から見た上扉１１２ａの一部を示す概略図である。意匠部材１５０は、シンボル部１０１〜１０５の突出の基準面となるベース面（ベース）１５１を有している。このベース面１５１は、前後方向に対して垂直な面となっている。シンボル部１０１〜１０５は、それぞれの先端面（前面）が、ベース面１５１から前方に向かって突出するように形成されている。以下、突出量という場合、シンボル部１０１〜１０５のベース面１５１からの突出量を指す。
このとき、シンボル部１０３の突出量Ｌ３が最も小さく形成され、シンボル部１０４の突出量Ｌ４が最も大きく形成されている。また、シンボル部１０１，１０２の突出量Ｌ１，Ｌ２は、シンボル部１０３の突出量Ｌ３より大きく、シンボル部１０４，１０５の突出量Ｌ４，Ｌ５より小さくなるように形成されている。また、シンボル部１０５の突出量Ｌ５は、シンボル部１０１〜１０３の突出量Ｌ１〜Ｌ３より大きく、シンボル部１０４の突出量Ｌ４より小さくなるように形成されている。すなわち、突出量は、（１）シンボル部１０３、（２）シンボル部１０１，１０２、（３）シンボル部１０５、（４）シンボル部１０４の順に大きくなっている。
このように、シンボル部１０１〜１０５は、その文字大きさに差を設けるとともに、文字大きさに応じて突出量が異なるように形成されている。具体的には、シンボル部１０１〜１０５は、文字（識別情報）の大きさが大きいほど、突出量が大きくなるように形成されている。これにより、立体的な視覚効果が生じて文字（識別情報）がより立体的に視認され、遊技者を惹きつけて斬新な印象を与え、遊技の興趣が向上する。具体的には、文字（識別情報）大きさの違いに加えて遊技者側への突出量も異なるため、大きい文字と小さい文字との強調度合いの差がより大きくなり、遊技者を一層惹きつける。本例のように、文字大きさが大きいものほど突出量が大きい場合、大きい文字がより手前に迫ってくるように感じられ、遊技者を惹きつける。
【００２７】
なお、本実施の形態では、シンボル部１０１〜１０５とベース面１５１とが一体（一部材）となっているものを示したが、シンボル部１０１〜１０５とベース面１５１とは別体（別部材）であってもよい。また、一連の報知情報をなすシンボル部１０１〜１０５のベース面１５１は、１つの部材からなるものに限らず、複数の部材により構成されるものであってもよい。換言すると、ベース面１５１は、一体のものであっても複数からなるものであってもよい。さらに、ベース面１５１が複数からなる場合、所定のシンボル部のベース面と、当該所定のシンボル部とは異なる他のシンボル部のベース面との所定方向（例えば前後方向）における位置は、異なっていてもよい。具体的には、図３において、例えばシンボル部１０１〜１０３のベース面１５１（第１ベース面とする）と、シンボル部１０４〜１０５のベース面１５１（第２ベース面とする）とをそれぞれ設けてもよく、その場合に、第１ベース面と第２ベース面の前後方向における位置を異なるものとしてもよい。例えば前後方向において、第２ベース面の位置を第１ベース面の位置よりも約１〜２ｍｍ程度前方または後方としてもよい。
【００２８】
また、本実施の形態では、シンボル部１０１〜１０５を、文字（識別情報）の大きさが大きいほど、突出量が大きくなるように形成したが、文字（識別情報）の大きさが大きいほど、突出量が小さくなるように形成してもよい。すなわち図３において、突出量を、（１）シンボル部１０４、（２）シンボル部１０５、（３）シンボル部１０１，１０２、（４）シンボル部１０３の順に大きくしてもよい。この場合でも、立体的な視覚効果が生じて文字（識別情報）がより立体的に視認され、遊技者を惹きつけて斬新な印象を与え、遊技の興趣が向上する。この場合、文字（識別情報）大きさで協調度合いの差が付けられているとともに、文字大きさが小さい文字の突出量が大きいため、大きい文字より前方側（遊技者側）に小さい文字が迫ってくるように感じられ、大きい文字と小さい文字の両方が遊技者を惹きつける。
また、一連の報知情報をなす複数のシンボル部における少なくとも一部が、識別情報の大きさが大きいほど、突出量が段階的に大きくなるように、または突出量が段階的に小さくなるようにしてもよい。
【００２９】
また、一連の報知情報のうち、識別情報の大きさが最大のものが、突出量が最も大きくまたは突出量が最も小さく形成されていれば、当該識別情報とは大きさが異なる他の識別情報（識別情報の大きさが最大以外のもの）は、突出量が同様（同一または略同一）となっていてもよい。
この場合、文字（識別情報）大きさが最大のものが他の識別情報より前方側（遊技者側）に位置する、または、文字（識別情報）大きさが最大のものが他の識別情報より後方側に位置して視認されるため、立体的な視覚効果が生じて遊技者を惹きつける。
【００３０】
また、本実施の形態では、シンボル部１０１〜１０５の先端面を、前後方向に対して垂直な面（平面）としたが、このシンボル部１０１〜１０５の先端面は、傾斜面、曲面、凹凸を有する形状等であってもよい。なお、シンボル部１０１〜１０５の先端面を平面以外の形状とする場合、シンボル部１０１〜１０５の突出量は、先端面における最も前方の位置（最も突出している位置）（最頂部）で計測するものとする。
【００３１】
図４は、左方から見た上扉１１２ａの一部を示す概略図であり、シンボル部１０１〜１０５のそれぞれの先端面を、上下方向において、上方に向かうほど前方に突出する傾斜面とした変形例を示している。文字大きさは、（１）シンボル部１０３、（２）シンボル部１０１，１０２、（３）シンボル部１０５、（４）シンボル部１０４の順に大きくなっている。また、突出量は、（１）シンボル部１０３、（２）シンボル部１０１，１０２、（３）シンボル部１０５、（４）シンボル部１０４の順に大きくなっている。
このように、シンボル部１０１〜１０５の先端面を傾斜面とした場合であっても、文字大きさが大きいほど、突出量が大きくなるように形成されている。これにより、文字がより立体的に視認され、遊技の興趣が向上する。
なお、図４では、シンボル部１０４とシンボル部１０５の関係において、シンボル部１０４の前面の最小突出部の突出量が、シンボル部１０５の最頂部の突出量より小さくなっているものとしたが、これに限らず、シンボル部１０４の最小突出部がシンボル部１０５の最頂部よりも前方に突出するようにしてもよい。
また、シンボル部１０１〜１０５の文字大きさに応じて、ベース面１５１に対する先端面（傾斜面）の傾斜角度を変更してもよい。例えば、文字大きさが大きいものほど、先端面の傾斜角度を大きくしてもよい。また、シンボル部１０１〜１０５のそれぞれの先端面が、異なる方向に傾斜するようにしてもよい。
【００３２】
また、本実施の形態では、意匠部材１５０のシンボル部１０１〜１０５が露出しているものとしたが、意匠部材１５０が、シンボル部１０１〜１０５の周囲（前方および側方）を覆う透光性（透明樹脂）のカバー（図示せず）をさらに備えるように構成し、当該カバーの内部で、シンボル部１０１〜１０５の文字大きさおよび突出量が、上述の関係となるように構成してもよい。当該カバーは、例えばねじ締め等により上扉１１２ａに固定されている。この場合、カバーを介してシンボル部１０１〜１０５が立体的に視認され、遊技の興趣が向上する。また、カバーを設けることで、各シンボル部を破損等から保護できるという効果を奏する。
【００３３】
また、シンボル部１０１〜１０３を非透光性樹脂で形成し、シンボル部１０４およびシンボル部１０５を透光性樹脂で形成するとともに、シンボル部１０４およびシンボル部１０５の背面側に、発光体（ＬＥＤ）が配置された基板（図示せず）を設けてもよい。この場合、当該発光体から照射される光によって、シンボル部１０４およびシンボル部１０５が発光する。このように、文字の大きさが大きい程、突出量が大きくなるように形成し、さらに文字大きさが大きい文字を照明可能に構成することで、遊技の興趣がより向上する。なお、シンボル部１０１〜１０３についても透光性樹脂で形成し、その背面側にＬＥＤ基板を設け、照明可能としてもよい。また、例えば、各シンボル部の文字大きさに応じて照明輝度や発光色を変更するようにしてもよい。
【００３４】
また、本実施の形態では、ベース面１５１を、前後方向に対して垂直な面としたが、これに限らず、ベース面１５１は前面扉１１２の傾斜面としてもよい。例えば、図１に示す、下扉１１２ｂにおけるＭＡＸベットボタン１２２や演出ボタン１２８が設けられている傾斜面Ｆをベース面１５１してもよい。この傾斜面Ｆは、前後方向において、前方に向かうほど下方に傾斜している。この傾斜面Ｆをベース面１５１とする場合、傾斜面Ｆに対して垂直な方向にシンボル部１０１〜１０５が突出することとなる。
【００３５】
また、意匠部材１５０は、ボタン（例えばＭＡＸベットボタン１２２、演出ボタン１２８等）の押圧部に設けられているものとしてもよい。押圧部は、樹脂等により形成され、ばね等の付勢部材によって支持され、押し込み可能となっている部材である。この場合、押圧部は、例えば操作方向（押圧方向）に垂直または略垂直な面であるベース面１５１を有しており、このベース面１５１にシンボル部が形成される。シンボル部は、ベース面１５１に対して垂直な方向に向かって突出している。
【００３６】
ここで、意匠部材１５０をＭＡＸベットボタン１２２の押圧部に設ける例について説明する。この場合、例えばシンボル部を６つ設け、第１シンボル部の先端面（上面）の形状を「Ｍ」という文字とし、第２シンボル部の先端面（上面）の形状を「Ａ」という文字とし、第３シンボル部の先端面（上面）の形状を「Ｘ」という文字とし、第４シンボル部の先端面（上面）の形状を「Ｂ」という文字とし、第５シンボル部の先端面（上面）の形状を「Ｅ」という文字とし、第６シンボル部の先端面（上面）の形状を「Ｔ」という文字とする。そして、第１〜第３シンボル部をこの順に左右方向に並べて上段とし、第４〜第６シンボル部をこの順に左右方向に並べて下段として、２段に配置する。
【００３７】
このとき、第１〜第３シンボル部（ＭＡＸ）の文字大きさを、第４〜第６シンボル部（ＢＥＴ）の文字大きさより大きく形成する。なお、第１〜第３シンボル部の文字大きさは互いに同一であり、第４〜第６シンボル部の文字大きさは互いに同一である。また、第１〜第３シンボル部（ＭＡＸ）の突出量を、第４〜第６シンボル部（ＢＥＴ）の突出量より大きく形成する。これにより、第１〜第６シンボル部がより立体的に視認され、遊技の興趣が向上する。
なお、各シンボル部が直接露出しないようにするために、各シンボル部の周囲（上面および側面）を覆う透光性（透明樹脂）のカバーを設け、カバーを介して各シンボル部が視認されるようにしてもよい。当該カバーは、例えば接着等により押圧部に固定されている。カバーを設けることで、各シンボル部を破損等から保護できるとともに、押圧部の操作時にシンボル部が直接指に触れないため、遊技者が快適に操作できる。
【００３８】
次に、意匠部材１５０を演出ボタン１２８の押圧部に設ける例について説明する。この場合、例えばシンボル部を４つ設け、第１シンボル部の先端面（上面）の形状を「Ｐ」という文字とし、第２シンボル部の先端面（上面）の形状を「Ｕ」という文字とし、第３シンボル部の先端面（上面）の形状を「Ｓ」という文字とし、第４シンボル部の先端面（上面）の形状を「Ｈ」という文字とする。第１〜第４シンボル部は、この順に例えば左右方向に並ぶように（横一列に並ぶように）配置されている。
【００３９】
このとき、第１〜第４シンボル部（ＰＵＳＨ）は、例えば両端から中央側に向かうほど、文字大きさが徐々に小さくなるように形成されている。また、第１〜第４シンボル部は、両端から中央側に向かうほど、突出量が徐々に小さくなるように形成されている。換言すると、左右方向内側から外側に向かうにつれて文字大きさおよび文字突出量が段階的に大きくなっている。これにより、第１〜第４シンボル部がより立体的に視認され、遊技の興趣が向上する。なお、第１〜第４シンボル部が直接露出しないようにするために、第１〜第４シンボル部の周囲を覆う透光性（透明樹脂）のカバーを設け、カバーを介して第１〜第４シンボル部が視認されるようにしてもよい。また、第１〜第４シンボル部を、例えば大きい文字と小さい文字とが交互となるように構成し、大きい文字の突出量が小さい文字の突出量より大きくなるように形成してもよい。
【００４０】
（第２の実施の形態）
次に、本発明の第２の実施の形態について説明する。なお、第２の実施の形態では遊技機の一つであるパチンコ遊技機について説明するが、その他の遊技機であってもよい。
図５は、本実施形態に係るパチンコ遊技機１の外観構成を示す斜視図である。本実施形態の遊技機は、遊技場から貸し出された遊技球（遊技媒体）を用いて遊技を行うものであり、遊技機の外側面を形成する外枠２と、遊技機の内部に設けられ、遊技球が移動する遊技領域４を形成する遊技盤６と、遊技盤６を遊技者が視認可能かつ接触不可能にするガラスユニット８と、ガラスユニット８が取り付けられている前枠１０を備えている。
【００４１】
前枠１０のうちガラスユニット８を取り囲む部分は、光を透過する半透明の素材により構成されており、半透明の素材により構成されている部分の内部には、遊技を盛り上げるための演出光などを出力する複数の前枠ランプ１２が設けられている。また、前枠１０の上部の左右および下部の左右には、遊技を盛り上げるための演出音などを出力するスピーカ１４が設けられている。
【００４２】
前枠１０の下部中央には、遊技球を貯留するための上皿１６が設けられており、上皿１６の内側側面の左部には、遊技機から遊技者に遊技球を払い出すための払出口１８が設けられている。前枠１０の下部右側には、グリップユニット２０が設けられており、遊技者がグリップユニット２０を遊技機に向かって右回りに回転させる操作を行うと、遊技機の内部に設けられた図示しない発射装置が作動して、遊技領域４内に遊技球が発射されるようになっている。なお、本実施の形態の発射装置は、１分間に９９個（１秒間に１．６５個）の遊技球を発射することができる。
【００４３】
上皿１６の内側側面の右部には、上皿１６から遊技球を発射装置に供給するための供給口２２が設けられている。また、上皿１６の下方には、上皿１６に遊技球を貯留しきれなくなった場合に余剰の遊技球を貯留しておく下皿２４が設けられている。
【００４４】
上皿１６の縁部の手前側には、演出操作装置２６が設けられており、遊技者が演出操作装置２６を操作すると、遊技機で行われる演出が変化する。詳細には演出操作装置２６は、押しボタンスイッチおよびロータリースイッチ（ジョグダイヤル）を内蔵しており、演出操作装置２６を押下する操作と、演出操作装置２６を回転させる操作を検出することができるようになっている。
【００４５】
図６は、図５で示した遊技盤６の外観構成を示す正面図である。図６に示すように遊技盤６には、円形状に外レール２８が設けられており、外レール２８に囲まれた領域が、遊技球が移動する遊技領域４となっている。また、遊技領域４の左端部には、外レール２８に沿うように円弧状に内レール３０が設けられており、外レール２８と内レール３０は、遊技盤６の下方に設けられた図示しない発射装置から発射された遊技球を遊技領域４に誘導する。
【００４６】
遊技盤６の中央部には、遊技を盛り上げるための演出画像等を表示する液晶ディスプレイ３２と、液晶ディスプレイ３２を取り囲むように形成されたディスプレイ枠３４を備える演出ユニット３６が設けられている。このディスプレイ枠３４には意匠部材３８が設けられている。なお、本実施の形態では、意匠部材３８を液晶ディスプレイ３２の上方に設けた場合を示すが、意匠部材３８の位置はこれに限るものではない。
【００４７】
本実施の形態では、液晶ディスプレイ３２の手前側を遊技球が通過できないようになっており、発射装置から発射された遊技球は、液晶ディスプレイ３２の左側の遊技領域４か右側の遊技領域４を落下するようになっている。そして遊技領域４には、遊技盤６の表面に交差するように図示しない多数の遊技釘が打ち付けられており、遊技領域４を移動する遊技球の移動方向がランダムに変化するようになっている。
【００４８】
ディスプレイ枠３４の左部には、液晶ディスプレイ３２の左側の遊技領域４を落下する遊技球が通過できる開口４０が形成されており、この開口４０を通過した遊技球はディスプレイ枠３４に設けられている通路４２を通過して、液晶ディスプレイ３２の下方に設けられたステージ４４に落下するようになっている。このステージ４４の上面は滑らかな曲面となっているとともに、ステージ４４とガラスユニット８との間に遊技球がステージ４４から下方に落下できる隙間が形成されており、通路４２からステージ４４上に落下した遊技球がステージ４４上を左右に往復移動した後にステージ４４の中央部付近から下方に落下するようになっている。
【００４９】
ステージ４４の中央部の下方には、第１始動入賞口４６が設けられている。
また、液晶ディスプレイ３２の右側の遊技領域４には、通過ゲート４８が設けられている。また、通過ゲート４８の下方に、第２始動入賞口５０が設けられている。この第２始動入賞口５０には、第２始動入賞口５０に遊技球が進入しにくい縮小状態（進入を補助しない状態・非補助状態）と遊技球が進入しやすい拡大状態（進入を補助する状態・補助状態）との間で動作可能な補助部材を備える普通役物５２が設けられている。
【００５０】
液晶ディスプレイ３２の右側の遊技領域４には、第２始動入賞口５０の下方に、大入賞口５４が設けられている。この大入賞口５４には、大入賞口５４を塞ぐ可動部材を備える特別役物５６が設けられている。特別役物５６は、大入賞口５４に遊技球が進入不可能な閉状態と、大入賞口５４に遊技球が進入可能な開状態との間で動作可能に構成されている（図６は閉状態を示している）。特別役物５６は、大当たりが当選すると開始される特別遊技状態において、所定条件下で開状態となるように制御される。
【００５１】
大入賞口５４の下方には、大入賞通路５８が下方に向かって設けられている。大入賞通路５８の下端には、通常進入口６２が設けられている。また、大入賞通路５８の下方には、大入賞通路５８の途中から下方に向かって分岐するように特定通路６５が設けられている。この特定通路６５には、特定通路６５を塞ぐ可動部材を備える特定役物６６が設けられている。特定役物６６は、特定通路６５に遊技球が進入不可能な閉状態と、特定通路６５に遊技球が進入可能な開状態との間で動作可能に構成されている（図６は閉状態を示している）。特定役物６６は、特別遊技状態において所定条件下で開状態となるように制御される。特定通路６５の下端には、特定進入口６８が設けられている。また、遊技領域４の最下部には、いずれの入賞口にも進入せずに遊技領域４を落下した遊技球を遊技機の内部に回収するアウト口６９が設けられている。
【００５２】
遊技球の発射装置は、図５で示したグリップユニット２０の回転量を調整することにより遊技球の射出力が変化するように構成されており、グリップユニット２０の回転量が少ない場合には液晶ディスプレイ３２の左側の遊技領域４を遊技球が落下するように遊技球が発射され、グリップユニット２０の回転量が多い場合には液晶ディスプレイ３２の右側の遊技領域４を遊技球が落下するように遊技球が発射される。
【００５３】
遊技者は、遊技状況に応じてグリップユニット２０の回転量を調整し、遊技球が左側の遊技領域４を落下して、あるいは開口４０と通路４２とステージ４４を通過して第１始動入賞口４６に進入するように遊技球を発射させたり（左打ち）、遊技球が右側の遊技領域４を落下して、通過ゲート４８を遊技球が通過するように、あるいは第２始動入賞口５０に遊技球が進入するように、あるいは大入賞口５４に遊技球が進入するように遊技球を発射させたりする（右打ち）。
【００５４】
遊技盤６の右下部であって、遊技領域４の外側には、遊技機の各種状態をランプ等の点灯および消灯により示す状態表示部７０が設けられている。本実施形態の遊技機は、メイン基板およびサブ基板を含む制御基板によって制御される。そして、メイン基板やサブ基板等の各基板の機能は、各種のプロセッサ（ＣＰＵ、ＤＳＰなど）、ＡＳＩＣ（ゲートアレイなど）、ＲＯＭ（情報記憶媒体の一例）、あるいはＲＡＭなどのハードウェアや、ＲＯＭなどに予め記憶されている所与のプログラムからなるソフトウェアにより実現される。
【００５５】
メイン基板は、入力手段（第１始動入賞口センサ、通過ゲートセンサ、第２始動入賞口センサ、大入賞口センサ、通常進入口センサ、特定通路センサ、払出センサ等）からの入力信号を受けて、遊技を実行するための各種の演算を行い、演算結果に基づいて、出力手段（状態表示駆動装置、普通役物駆動装置、特別役物駆動装置、特定役物駆動装置、払出装置等）の動作制御を行う。
【００５６】
サブ基板は、メイン基板から送られてくるコマンドや、演出操作装置２６に対する操作を検出する演出操作センサからの入力信号を受けて、遊技の進行状況に合わせた演出を実行するための各種の演算を行い、演算結果に基づいて、演出装置（演出表示装置、音響装置、演出物駆動装置等）の動作制御を行う。
【００５７】
次に、意匠部材３８について説明する。意匠部材３８は、複数のシンボル部（例えばシンボル部１０１、シンボル部１０２、シンボル部１０３およびシンボル部１０４）を備えている。シンボル部１０１〜１０４は、それぞれの先端面の形状によって文字（識別情報）が表されている。本実施の形態では、シンボル部１０１の先端面の形状によって「南」という１文字が表されている。また、シンボル部１０２の先端面の形状によって「国」という１文字が表されている。また、シンボル部１０３の先端面の形状によって「乙」という１文字が表されている。また、シンボル部１０４の先端面の形状によって「女」という１文字が表されている。シンボル部１０１〜１０４は、「南国乙女」という一連の文字列を構成している。シンボル部１０１，１０２は、左右方向に並ぶように設けられ、シンボル部１０１とシンボル部１０２の間に、シンボル部１０３，１０４がこの順に上下方向に並ぶように設けられている。
【００５８】
図７は、意匠部材３８を正面から見た図である。シンボル部１０１〜１０４の識別情報（文字）の大きさを比較すると、シンボル部１０１，１０２は同一の文字大きさであり、文字大きさが最も小さくなるように形成されている。また、シンボル部１０４は文字大きさが最も大きくなるように形成されている。また、シンボル部１０３は文字大きさが、シンボル部１０１，１０２より大きく、シンボル部１０４より小さくなるように形成されている。すなわち、文字大きさは、（１）シンボル部１０１，１０２、（２）シンボル部１０３、（３）シンボル部１０４の順に大きくなっている。
【００５９】
図８は、図７で示したＰ方向から見た概略側面図であり、図９は、図７で示したＱ方向から見た概略側面図である。
意匠部材３８は、シンボル部１０１〜１０４の突出の基準面となるベース面３８ａを有している。本実施の形態では、ベース面３８ａは、前後方向に対して垂直な面となっている。シンボル部１０１〜１０４は、それぞれの先端面（前面）が、ベース面３８ａから前方に突出するように形成されている。以下、突出量という場合、シンボル部１０１〜１０４のベース面３８ａからの突出量を指す。
図８および図９を参照しながらシンボル部１０１〜１０４の突出量を比較すると、シンボル部１０１，１０２の突出量Ｌ１，Ｌ２が最も小さく、シンボル部１０４の突出量Ｌ４が最も大きく形成されている。また、シンボル部１０３の突出量Ｌ３は、シンボル部１０１，１０２の突出量Ｌ１，Ｌ２より大きく、シンボル部１０４の突出量Ｌ４より小さくなるように形成されている。すなわち、突出量は、（１）シンボル部１０１，１０２、（２）シンボル部１０３、（３）シンボル部１０４の順に大きくなっている。このように、シンボル部１０１〜１０４は、文字大きさが大きいほど、突出量が大きくなるように形成されている。これにより、立体的な視覚効果が生じて文字がより立体的に視認され、遊技者を惹きつけて斬新な印象を与え、遊技の興趣が向上する。
【００６０】
なお、本実施の形態では、シンボル部１０１〜１０４の先端面を、前後方向に対して垂直な面（平面）としたが、シンボル部１０１〜１０４の前面は、傾斜面、曲面、凹凸を有する形状等であってもよい。このようにシンボル部１０１〜１０４の前面を平面以外の形状とする場合、シンボル部１０１〜１０４の突出量は、先端面における最も前方の位置（最頂部）で計測するものとする。また、本実施の形態では、ベース面３８ａを前後方向に対して垂直な面としたが、ベース面３８ａを例えば前後方向に対して傾斜した面とし、その傾斜面に垂直な方向にシンボル部１０１〜１０４が突出するようにしてもよい。
【００６１】
また、本実施の形態では、シンボル部１０１〜１０４（意匠部材３８）の前面側がガラスユニット８（図５参照）で覆われているものとしたが、例えばシンボル部１０１〜１０４（意匠部材３８）を前枠１０（図５参照）に設け、露出するように構成してもよい。また、シンボル部１０１〜１０４の一部または全てを照明可能に構成してもよく、さらに、例えば各シンボル部の文字大きさに応じて照明輝度や発光色を変更してもよい。
【００６２】
また、意匠部材３８を演出操作装置２６（図５参照）の押圧部に設けてもよい。この場合、例えばシンボル部を４つ設け、第１シンボル部の先端面（上面）の形状を「Ｐ」という文字とし、第２シンボル部の先端面（上面）の形状を「Ｕ」という文字とし、第３シンボル部の先端面（上面）の形状を「Ｓ」という文字とし、第４シンボル部の先端面（上面）の形状を「Ｈ」という文字とする。そして、第１〜第４シンボル部を、この順に例えば左右方向に並べて（横一列に並べて）配置する。
【００６３】
このとき、第１〜第４シンボル部を、例えば両端から中央側に向かうほど、文字大きさが徐々に小さくなるように形成する。また、第１〜第４シンボル部を、両端から中央側に向かうほど、突出量が徐々に小さくなるように形成する。また、第１〜第４シンボル部が直接露出しないようにするために、第１〜第４シンボル部の周囲を覆う透光性（透明樹脂）のカバーを設け、カバーを介して第１〜第４シンボル部が視認されるようにしてもよい。このように構成することで、演出操作装置２６における第１〜第４シンボル部がより立体的に視認され、遊技の興趣が向上する。
【００６４】
次に、サブ基板ユニット２００について説明する。
図１０（ａ）は、サブ基板ユニット２００を背面側から見た図（平面図）である。図１０（ｂ）は、図１０（ａ）に示すＡ−Ａ線の概略断面図である。また、図１１は、サブ基板２１０を背面側から見た図（平面図）である。なお、図１１は、図１０（ａ）において、サブ基板ケース２２０を取り外した状態である。
サブ基板ユニット２００は、第１の実施の形態に係る液晶ディスプレイ１１３（図１参照）や、第２の実施の形態に係る液晶ディスプレイ３２（図６参照）の背面側等に設けられる。以下、サブ基板ユニット２００を用いて説明するが、図１０に示す仕様は、メイン基板ユニット以外の液晶基板ユニット、ＬＥＤ基板ユニット、電源基板ユニットに適用することが可能である。
【００６５】
図１０（ａ）および図１０（ｂ）に示すように、サブ基板ユニット２００は、サブ基板２１０や、サブ基板２１０の背面側を覆うサブ基板ケース２２０等を備えている。このサブ基板ケース２２０は、例えば透明樹脂で形成され、上下方向断面が略凹形状となっている。
また、図１１に示すように、サブ基板２１０には、電子部品が実装（配置）されている。本例では、電子部品としてＩＣ２１７、抵抗２１８が実装されている。なお、図示は省略しているが、サブ基板２１０には電子部品としてコンデンサ等も実装されている。
図１０（ａ）に示すように、サブ基板ケース２２０には、前後方向に貫通する複数の貫通孔２２１が設けられている。この複数の貫通孔２２１には、小径貫通孔２２２と大径貫通孔２２３とがある。小径貫通孔２２２は、サブ基板ケース２２０の内側（中央部側）に設けられている。一方、大径貫通孔２２３は、サブ基板ケース２２０の外側（外周端側）に設けられている。大径貫通孔２２３は、主として、サブ基板２１０における電子部品（チップ等）が配置されていない箇所（範囲）と対向する位置に設けられている。なお、コンデンサと対向する位置に、大径貫通孔２２３が設けられていてもよい。
また、サブ基板ケース２２０において、電子部品のうちＩＣ２１７と対向する位置には、小径貫通孔２２２が設けられている箇所はあるが、大径貫通孔２２３が設けられている箇所はない。なお、図１０（ａ）は、小径貫通孔２２２および大径貫通孔２２３の設け方の一例を示したものであって、孔の個数はこれに限定されるものではない。
【００６６】
図１０（ｂ）に示すように、小径貫通孔２２２は、前方側（基板側）から後方側（筐体側）に向かって孔径が徐々に小さくなるようにテーパー状に形成されている。小径貫通孔２２２は、最も小さい孔径（内径）が約２ｍｍ、最も大きい孔径（外径）が約３ｍｍとなっている。また、左右方向に隣接する２つの孔の中心間の距離は、約５ｍｍとなっている（図１０（ａ）参照）。
図１０（ｂ）に示すように、大径貫通孔２２３は、前方側（基板側）から後方側（筐体側）に向かって孔径が徐々に大きくなるように逆テーパー状に形成されている。大径貫通孔２２３は、最も小さい孔径（内径）が約２ｍｍ、最も大きい孔径（外径）が約４ｍｍとなっている。また、左右方向に隣接する２つの孔の中心間の距離は、約６ｍｍとなっている（図１０（ａ）参照）。なお、大径貫通孔２２３の最も小さい孔径（内径）は、約２ｍｍより大きい約２．５ｍｍとしてもよい。
【００６７】
小径貫通孔２２２は、前方側から後方側に向かうほど孔径が徐々に小さくなるテーパー状となっている。このため、サブ基板ケース２２０の内部の空気が小径貫通孔２２２を介して外側に放出され易くなっている。また、小径貫通孔２２２は基板のＩＣと対向する位置に設けられることがあるが、当該テーパー状とすることで、後方側（背面側）からの器具等の差し込みによる不正防止対策ともなっている。
大径貫通孔２２３は、前方側から後方側に向かうほど孔径が徐々に大きくなる逆テーパー状となっている。このため、サブ基板ケース２２０の外側の空気が大径貫通孔２２３を介してサブ基板ケース２２０の内部に取り込まれ易くなっている。
【００６８】
次に、音量調整スイッチ３００について説明する。図１１に示すように、音量調整スイッチ３００はサブ基板２１０に配置され、サブ基板２１０と電気的に接続されている。この音量調整スイッチ３００は、第１の実施の形態に係るスピーカ１１４（図１参照）や、第２の実施の形態に係るスピーカ１４（図５参照）等から出力される音の大きさ（音量）を調整するために設けられている。なお、以下、音量調整スイッチ３００を用いて説明するが、本内容は音量調整スイッチ３００を含む所定の調整スイッチ（ロータリスイッチ）に適用することができる。所定の調整スイッチという場合、音量調整スイッチ３００、輝度調整スイッチ、演出切替スイッチ等が含まれるものとする。輝度調整スイッチは、遊技機の照明装置（電飾装置）等の発光輝度（明るさ）を調整可能とするために設けられている。また、演出切替スイッチは、ホール（遊技場）側で、演出に関する設定を変更可能とするために設けられている。演出に関する設定は、例えば演出内容の異なる４種類の状態（４種類の演出状態）が用意されている場合、４つの状態の中から１つの状態を選択することができる。なお、４つの状態の中に、例えば、特定の演出が出現する状態と、特定の演出が出現しない状態とが含まれるようにしてもよい。
【００６９】
図１２（ａ）は音量調整スイッチ３００を背面側から見た図（平面図）であり、図１２（ｂ）は音量調整スイッチ３００のハウジング３１０を背面側から見た図（平面図）である。また、図１３は、図１０（ａ）に示すＢ−Ｂ線の概略断面図である。なお、図１３においてハウジング３１０は断面としていない。また、図１４は、音量調整スイッチ３００を背面側から見た斜視図である。
【００７０】
図１３に示すように、音量調整スイッチ３００は、ハウジング３１０、軸部材３２０、および、つまみ３３０等を備えている。図１２（ｂ）に示すように、ハウジング３１０は、平面視正方形状（平面視四角形状）を有している。平面視とは、音量調整スイッチ３００が配置されている側のサブ基板２１０の面を、当該面に対して垂直な方向から見ることをいう。ハウジング３１０は、例えば、はんだ付けによりサブ基板２１０に固定されている。ハウジング３１０における基板側とは反対側の面（上面）３１０ａには、平面視円形状の孔３１１が設けられている。この孔３１１からは軸部材３２０（図１３参照）が突出するようになっている。軸部材３２０は、その基端側がハウジング３１０の内部に収容された状態となっており、軸回りに回転可能となっている。この軸部材３２０の回転に伴い、例えばハウジング３１０の内部のロータ（図示せず）が回転するようになっている。
【００７１】
図１２（ｂ）に示すように、ハウジング３１０の上面３１０ａには、孔３１１の周囲を囲むように、レベル表示部３１２が設けられている。このレベル表示部（所定の表示）３１２は、例えば、音量の大きさ（レベル）を表す０〜９の数字が所定の間隔ごとに、環状となるように付されて形成されている。各数字は、数字の下部が孔３１１の中心（後述するつまみ３３０の中心）を向くようにして配置されている。なお、本実施の形態では、所定の表示を、音量の大きさ（レベル）を示す数字としたが、数字以外の文字や記号等としてもよい。なお、輝度調整スイッチの場合、所定の表示として、例えば輝度（明るさ）を段階的に示す数字等が環状に付される。また、演出切替スイッチの場合、所定の表示として、例えば、各演出状態に対応した数字、文字（例えばアルファベット）が環状に付される。ここで、レベル表示部３１２の範囲の外周側（径方向外側）を規制する円（各数字の上部同士を結ぶ外接円）の直径を、レベル直径３１３と定義しておく。
【００７２】
図１３に示すように、つまみ３３０は、一方の端部が塞がれ、他方の端部が開口した円筒形状を有している。つまみ３３０は、軸部材３２０に被せることができる内径を有している。つまみ３３０を軸部材３２０に被せた状態でつまみ３３０を回転させると、つまみ３３０と同期して軸部材３２０が回転するようになっている。また、つまみ３３０における開口側（ハウジング３１０側）の端部には、径方向外側に向かって突出した鍔状の鍔部３３１が設けられている。つまみ３３０は、例えば透明の樹脂や黒色樹脂等で形成されている。
なお、上記の説明では、軸部材３２０とつまみ３３０とが別体となっている場合について説明したが、軸部材３２０とつまみ３３０とは一体に構成されているものであってもよい。換言すると、つまみ３３０という場合、軸部材３２０が含まれるものであってもよい。つまみ３３０は、ハウジング３１０に回転可能に支持されているといえる。また、ハウジング３１０の上面３１０ａは、ハウジング３１０におけるつまみ３３０側の面といえる。
【００７３】
図１２（ａ）に示すように、鍔部３３１は、つまみ３３０の軸方向から見て環状（平面視円形状）となるように設けられており、１箇所に軸方向から見てコ字状の切り欠き部３３１ａが形成されている。この切り欠き部３３１ａは、レベル表示部３１２の１つの数字（レベル）が視認可能となる大きさで形成されている。
【００７４】
また、図１３において、図示を省略しているが、鍔部３３１の底面とハウジング３１０の上面３１０ａとの間には、１．０ｍｍ未満の僅かな隙間が設けられている。このため、ハウジング３１０の上面３１０ａに印刷されているレベル表示部３１２が削られて、レベル表示（数字）が不鮮明となってしまうことがない。すなわち、レベル表示の視認性の悪化を防止できる。また、当該隙間は１．０ｍｍ未満の僅かなものであるため、つまみ３３０を適正位置に設定した場合（切り欠き部３３１ａの略真中にレベルが位置している場合）に、つまみ３３０の軸方向正面から見た場合でも軸方向に対して斜めから見た場合でも、切り欠き部３３１ａの内側に位置するレベル表示（数字）の隣のレベル表示が視認されることがない。すなわち、２つのレベル表示が一度に視認されることがなく、現在の設定値を正確に把握することができる。
【００７５】
また、図１５に示すように、切り欠き部３３１ａの上部（径方向外側）における幅を幅Ｘとし、隣り合うレベル（数字）の中心部間の幅を幅Ｙとする。幅Ｘは、幅Ｙ以下または幅Ｙ未満となっている。このため、一方の数字（例えば「１」）の中心部と、他方の数字（例えば「０」）の中心部との間（中間）に切り欠き部３３１ａが位置している場合、両方の数字（ここでは「１」と「０」）が認識不能または認識困難となる。これにより、つまみ３３０の設定ミス、すなわち、つまみ３３０を適切な位置まで回転させていないこと（つまみ３３０のポジションが不適切であること）を、より容易に把握することができる。
【００７６】
また、図１４に示すように、つまみ３３０の外周面には、軸方向に沿って設けられた縦溝３３２が、周方向に沿って所定の間隔ごとに複数設けられている。この縦溝３３２が複数設けられていることで、つまみ３３０を回転させる際に、指が滑ってしまうのを防止できる。また、つまみ３３０の先端面には、中心を通過する直径に沿って１つの横溝３３３が形成されている。この横溝３３３にマイナスドライバー等を挿入して回転させることで、つまみ３３０を直接つまむことなく回転させることができるようになっている。
【００７７】
また、図１３に示すように、音量調整スイッチ３００の背面側（図１３では上側）に位置するサブ基板ケース（基板ケース）２２０には、ケース開口（開口）２２４が設けられている。このケース開口２２４は、平面視円形状（つまみ３３０と同心円）となっている。このケース開口２２４は、つまみ３３０の位置と対応（対向）する位置に、つまみ３３０の先端を突出させるため（つまみ３３０を挿通させるため）に設けられている。このケース開口２２４から突出したつまみ３３０を回転させることで、スピーカから出力される音の大きさ（音量）を調整できるようになっている。例えば、つまみ３３０を回転させ、切り欠き部３３１ａを介して視認される数字を大きくすると、スピーカから出力される音量は大きくなる。なお、サブ基板ケース２２０は、例えば透明樹脂で形成されている。サブ基板ケース２２０の内部に収容（配置）されている部品を視認できるようにするためである。
【００７８】
本実施の形態では、サブ基板ケース２２０は、背面側（天面側）から基板側に向かって一段凹んだ窪み形状である凹部２２５を有している。ケース開口２２４は、凹部２２５の略中央部に設けられている。このように凹部２２５の内部でつまみ３３０が突出するようにすることで、指等がつまみ３３０に接触し難くなり、誤接触等によってつまみ３３０が回転するのを防止できる。
【００７９】
サブ基板２１０に配置（接続）されている部品には、電子部品、コネクタ、および音量調整スイッチ３００等があり、音量調整スイッチ３００が、サブ基板２１０の基板面から最も背面側（図１３では上側）に突出している。また、サブ基板ケース２２０は、サブ基板２１０を背面側から覆うように、断面凹形状に形成されている。サブ基板ケース２２０における背板部２２６の天面２２６ａは、音量調整スイッチ３００の先端よりもさらに背面側（上方側）に位置するように形成されている。換言すると、音量調整スイッチ３００（つまみ３３０）の先端は、サブ基板ケース２２０の天面２２６ａよりも突出しないようになっている。なお、つまみ３３０のケース開口２２４からの出代は、例えば指でつまむことが可能な出代となっている。
【００８０】
組付け工程等において、サブ基板ユニット２００を、サブ基板ケース２２０側を下として台等の上に載置する場合があるが、その場合でも、つまみ３３０がサブ基板ケース２２０の天面２２６ａよりも突出していないため、音量調整スイッチ３００に衝撃が加わらない。これにより、台等の上に置いた際に、音量調整スイッチ３００の先端に力（衝撃）が加わり、音量調整スイッチ３００が破損するのを防止できる。
なお、図１３では、サブ基板ケース２２０の天面２２６ａを、音量調整スイッチ３００の先端よりも背面側（上面側）に位置するようにしつつ凹部２２５を設けているが、音量調整スイッチ３００に対して衝撃が加わることのない構造となっていれば、凹部２２５は必ずしも設ける必要はない。その場合、背板部２２６にケース開口２２４を設けてもよい。
【００８１】
また、図１３に示すように、鍔部３３１の上面と、サブ基板ケース２２０の基板側（内側）の面との間の隙間を長さＬとする。この長さＬは約１〜２ｍｍとなっている。長さＬは、不正防止の観点から狭くしつつ、部品公差が最悪となった場合でも鍔部３３１とサブ基板ケース２２０とが干渉しない長さとなっている。この長さＬを小さくすることにより、不正を防止することができる。
【００８２】
図３１（ａ）は、別のサブ基板ユニット６００を背面側から見た図である。図３１（ｂ）は、図３１（ａ）に示すＵ−Ｕ線の概略断面図である。サブ基板２１０には、コンデンサ、抵抗等の電子部品（図示せず）、音量調整スイッチ３００、コネクタＣＮ、ディップスイッチＤＩＰ、リセットスイッチＲＥ等が配置されている。ここで、サブ基板ケース２２０における天面２２６ａの位置（高さ）は、サブ基板２１０に配置される背の高い電子部品（例えばコンデンサ）に合わせて決定されているが、スイッチ、コネクタ等が配置されている箇所については、それらを露出させる必要があるため、凹部２２５が設けられ、その凹部２２５に開口が形成されている。このとき、凹部２２５の開口から突出するスイッチやコネクタの先端は、サブ基板ケース２２０の天面２２６ａよりも突出しないようになっている。なお、音量調整スイッチ３００（つまみ３３０）の先端は、コネクタＣＮの先端よりも天面２２６ａ側に突出している。
【００８３】
組付け工程等において、サブ基板ユニット６００を、サブ基板ケース２２０側を下として台等の上に載置する場合があるが、その場合でも、スイッチ（音量調整スイッチ３００を含む）やコネクタＣＮがサブ基板ケース２２０の天面２２６ａよりも突出していないため、スイッチやコネクタＣＮに衝撃が加わらない。これにより、台等の上に置いた際に、音量調整スイッチ３００やコネクタＣＮの先端に力（衝撃）が加わり、音量調整スイッチ３００やコネクタＣＮが破損するのを防止できる。
【００８４】
図３２（ａ）は、図３１（ａ）におけるＳ部の拡大図である。図３２（ｂ）は、図３２（ａ）に示すＷ−Ｗ線の概略断面図である。以下、ハウジング３１０（上面３１０ａ）の１辺の寸法を、ハウジング３１０の１辺の長さ（１辺長さ）という。また、ハウジング３１０（上面３１０ａ）の対角線の寸法を、ハウジング３１０の対角線の長さ（対角線長さ）という。ハウジング３１０の対角線長さは、ハウジング３１０の１辺長さよりも長い。
【００８５】
ハウジング３１０の対角線長さは、ケース開口２２４の直径以上となっている（ハウジング３１０の対角線長さは、ケース開口２２４の直径よりも大きくなっている）。例えば、過度な力（負荷）がつまみ３３０に加えられた場合や、音量調整スイッチ３００のサブ基板２１０に対する固定（接着）に経年劣化が生じた場合等に、音量調整スイッチ３００がサブ基板２１０から外れてしまう破損が生じる場合である。そのような場合でも、ハウジング３１０の対角線長さがケース開口２２４の直径以上となっているため、ハウジング３１０がケース開口２２４に引っ掛かる。このため、音量調整スイッチ３００が、ケース開口２２４を介してサブ基板ケース２２０の外部に飛び出る（排出される）のを防止できる。これにより、サブ基板ケース２２０の外部に排出された音量調整スイッチ３００が紛失するのを防止できる。また、サブ基板ケース２２０の外部に排出された音量調整スイッチ３００が他部品に影響を及ぼすのを防止できる。なお、ハウジング３１０の１辺長さが、ケース開口２２４の直径以上となるようにしてもよい。
【００８６】
また、ハウジング３１０の１辺長さは、鍔部３３１の直径以上となっている（ハウジング３１０の１辺長さが、鍔部３３１の直径よりも大きくなっている）。すなわち、鍔部３３１の直径は、ハウジング３１０の１辺の長さ以下となっている。換言すると、つまみ３３０の軸方向から見て、ハウジング３１０の外周端が、鍔部３３１の外周端よりも外側（径方向外側）に位置している。さらに換言すると、つまみ３３０の軸方向から見て、ハウジング３１０の外形が、鍔部３３１の外形より大きくなっている。
【００８７】
仮に、ハウジング３１０の外周端よりも鍔部３３１の外周端が外側に位置すると、つまみ３３０の軸方向から見た場合に、ハウジング３１０の端子部分が隠れて視認できず、ハウジング３１０の端子部分の接着（不良の有無）が確認できないという問題が生じるが、本例によればそのような問題が生じるのを防止できる。また、仮に、ハウジング３１０の外周端よりも鍔部３３１の外周端が外側に位置すると、ハウジング３１０近傍の基板上に記されている識別符号が隠れて視認できないという問題が生じるが、本例によればそのような問題が生じるのを防止できる。また、仮に、ハウジング３１０の外周端よりも鍔部３３１の外周端が外側に位置すると、音量調整スイッチ３００が発する熱の放熱効果が低下してしまうという問題が生じるが、本例によればそのような問題が生じるのを防止できる。
【００８８】
また、鍔部３３１の直径は、ケース開口２２４の直径以下となっている。換言すると、ケース開口２２４の直径は、鍔部３３１の直径以上となっている。このようにケース開口２２４の直径を鍔部３３１の直径よりも大きくすると、レベル（数字）がより見易くなるという効果を奏する。
【００８９】
なお、図示は省略するが、鍔部３３１の直径を、ケース開口２２４の直径以上としてもよい。この場合、例えばつまみ３３０のみがハウジング３１０から外れた場合でも、つまみ３３０の鍔部３３１の直径がケース開口２２４の直径以上となっているため、つまみ３３０がケース開口２２４に引っ掛かる。このため、つまみ３３０が、ケース開口２２４を介してサブ基板ケース２２０の外側に飛び出る（排出される）のを防止できる。これにより、つまみ３３０の紛失を防止できる。なお、鍔部３３１の直径とケース開口２２４の直径とを、同一または略同一としてもよい。この場合でも、同様の効果を奏する。
【００９０】
本例によれば、少なくともケース開口２２４がハウジング３１０のサイズよりも小さくなっているため、音量調整スイッチ３００が破損してサブ基板２１０から外れてしまった場合であっても、音量調整スイッチ３００がケース開口２２４から外に排出されてしまうのを防止できる。
【００９１】
また、鍔部３３１の直径と、レベル直径３１３（図１２（ｂ）参照）（所定の表示の外接円の直径）とは、同一または略同一となっている。換言すると、レベル表示（例えば数字の０〜９）の上部（上端）は、鍔部３３１の外周よりも内側に位置している。さらに換言すると、レベル直径３１３は、鍔部３３１の直径よりも小さい。このため、レベル表示（数字）の上部（上端）は、鍔部３３１の外周よりも外側にはみ出さないようになっている。鍔部３３１の外周と、所定の表示（数字）の上部とを揃えることで、数字等が鍔部３３１の外側に飛び出さないため設定値の誤認を防止できるとともに、数字等が内側に入り過ぎていないため、つまみ３３０をつまんだ際でも数字等を視認しやすいという効果を奏する。
【００９２】
また、ケース開口２２４の直径は、レベル直径３１３（図１２（ｂ）参照）と同一または略同一となっている。換言すると、つまみ３３０の軸方向から見た場合に、ケース開口２２４の直径は、サブ基板ケース２２０を介することなく、レベル（数字）を直接視認できる直径となっている。このため、サブ基板ケース２２０を介することなく数字を直接視認できるため、例えば、サブ基板ケース２２０での光の反射等によってレベルを視認し難くなることがなく、数字をより見やすくなる。これにより、調整を誤ってしまうのを防止できる。また、調整する際の負担を軽減できる。なお、ケース開口２２４の直径を、レベル直径３１３以上としてもよい。
【００９３】
また、本実施の形態では、サブ基板ケース２２０に、つまみ３３０を挿通させるための孔であるケース開口２２４を設けた。遊技機（例えばパチンコ遊技機）には、その背面側に、遊技に関する主要な処理を行う主制御基板、主制御基板からの指令を受けて各種装置を制御する副制御基板（例えばサブ基板２１０）、サブ基板ケース２２０やハーネスを一括して覆うようにして本体枠の背面に開閉（回転）自在に取り付けられたカバー（裏カバー）、遊技場の島設備から供給される多数の遊技球を貯留可能な貯留タンク等を備えているものがある。なお、主制御基板はカバー部材によって覆われており、不正行為が行われないように封印されている。
【００９４】
このような構成の場合、サブ基板ケース２２０のケース開口２２４に加え、サブ基板ケース２２０の外側を覆うカバー（裏カバー）における、音量調整スイッチ３００（つまみ３３０）と対応（対向）する位置に特定の開口を設ける。ここで、特定の開口について説明する。裏カバーには、放熱等を行うために、例えば同じ形状の開口（例えば丸孔）が所定の間隔ごとに複数設けられている。特定の開口とは、それらの開口（他の開口という）とは異なる開口をいい、例えば、他の開口とは形状が異なっている。特定の開口としては、例えば、指を差し込むことはできないがマイナスドライバーを差し込むことができる幅で、上下方向に細長く形成された長孔がある。なお、特定の開口は、他の開口と形状が同じであるが、大きさ（幅、直径等）が異なるものであってもよい。特定の開口は、他の開口と異なる態様で設けられている開口ともいえる。また、特定の開口は、１つに限られるものではなく、２つ以上並べて設けられていてもよい。作業者は、マイナスドライバー等を、特定の開口を介して挿入し、つまみ３３０の横溝３３３（図１４参照）に差し込んでつまみ３３０を回転させることができる。これにより、遊技機の背面側から、裏カバーを開けることなく（裏カバーを外すことなく）音量を調整することができる。なお、サブ基板ケース２２０を設けずに、裏カバーのみとし、裏カバーにおけるつまみ３３０と対応（対向）する位置に開口（特定の開口）を設けるようにしてもよい。
【００９５】
図３３は、図３１（ａ）に示すＴ−Ｔ線の概略断面図である。サブ基板ケース２２０の凹部２２５には、コネクタＣＮに対応（対向）する位置に、コネクタＣＮを挿通させるためのコネクタ用開口Ｋが設けられている。コネクタＣＮは、サブ基板ケース２２０をサブ基板２１０に取り付けた際に、その先端がコネクタ用開口Ｋよりも背面側（上側）に突出するようになっている。ただし、既述のとおり、このコネクタＣＮの先端は、サブ基板ケース２２０の天面２２６ａよりは突出しないようになっている。
【００９６】
また、コネクタＣＮの外周面と、コネクタ用開口Ｋの内周面との間の隙間は、不正防止の観点等から小さく（狭く）形成されている。なお、本実施の形態では、当該隙間は、図１３における、音量調整スイッチ３００のつまみ３３０の外周面と、ケース開口２２４の内周面との隙間よりも小さくなっている。また、コネクタＣＮは、サブ基板ケース２２０をサブ基板２１０に覆い被せる際に、他の部品よりも先にコネクタ用開口Ｋの端部と当たる可能性がある部品である。コネクタＣＮは強度が弱いため、コネクタ用開口Ｋの端部が接触して力（衝撃）を受けると、欠ける等の破損をするおそれがある。
【００９７】
このような事情を踏まえ、本実施の形態では、コネクタ用開口Ｋにテーパーを設けている。すなわち、コネクタ用開口Ｋの内周面をテーパー面としている。具体的には、コネクタ用開口Ｋの直径が、天面２２６ａ側（上側）に向かうほど小さくなるように（徐々に窄まるように）、内周面がテーパー面となっている。これにより、サブ基板ケース２２０を取り付ける際に、仮に、コネクタ用開口Ｋの端部とコネクタＣＮとが接触したとしても、テーパー面が設けられているため、コネクタＣＮが破損するのを防止できる。また、コネクタ用開口Ｋの内周面をテーパー面とすることで、仮に配線が接触した場合であっても、配線が劣化、断線等するのを防止できる。
【００９８】
また、図１３では、ケース開口２２４の内周面がつまみ３３０の軸方向と平行な面となっているものを示した。すなわち、ケース開口２２４にはテーパーが設けられていないものを示した。ケース開口２２４にテーパーが設けられていない理由としては、つまみ３３０の外周面とケース開口２２４の内周面との隙間が、コネクタＣＮとその開口との隙間より大きく確保されていることが挙げられる。ただし、ケース開口２２４にもテーパーを設けてもよい。すなわち、ケース開口２２４の内周面を、テーパー面としてもよい（ケース開口２２４の端部に面取りが設けられていてもよい）。なお、ケース開口２２４へのテーパーの設け方は２通りある。
【００９９】
図３４（ａ）は、ケース開口２２４の直径が基板側（下側）に向かうほど小さくなるように、ケース開口２２４の内周面をテーパー面とした例を示している。このようにテーパーを設けることで、つまみ３３０をつまんだ際に、仮に指先がサブ基板ケース２２０に接触したとしても、テーパー面となっているため痛みを感じるのを防止できる。
【０１００】
図３４（ｂ）は、ケース開口２２４の直径が天面側（上側）に向かうほど小さくなるように、ケース開口２２４の内周面をテーパー面とした例を示している。このようにテーパーを設けることで、サブ基板ケース２２０をサブ基板２１０に覆い被せる際に、仮につまみ３３０の先端とサブ基板ケース２２０とが接触したとしても、テーパー面となっていることでサブ基板ケース２２０の位置が強制され、スムーズに嵌合させることができる。
【０１０１】
図３３では、他の部品よりも先に接触する可能性の高いコネクタ用開口Ｋにテーパーを設けたが、図３４に示すように、さらに音量調整スイッチ３００用の開口（ケース開口２２４）にテーパーを設けてもよい。なお、音量調整スイッチ３００用の開口（ケース開口２２４）にはテーパーを設けずに、コネクタ用開口Ｋのみにテーパーを設けてもよい。また、コネクタ用開口Ｋにテーパーを設けずに、音量調整スイッチ３００用の開口（ケース開口２２４）のみにテーパーを設けてもよい。
【０１０２】
なお、上記では、コネクタＣＮおよび音量調整スイッチ３００を突出させるための開口にテーパーを設ける場合を示したが、テーパーを設ける開口は、コネクタＣＮおよび音量調整スイッチ３００の開口に限られるものではない。すなわち、サブ基板ケース２２０に形成された開口から突出（露出）する部品がある場合、その部品のための開口にテーパーを設けることができる。なお、このとき、その部品の外周面と開口の内周面との隙間が所定の隙間以下（狭い隙間）である場合に、テーパーを設けるというようにしてもよい。
【０１０３】
次に、液晶ユニット５００について説明する。
図１６は、液晶ユニット５００を前方から見た斜視図である。
この液晶ユニット５００は、例えば、図１（第１の実施の形態）で示したＭＡＸベットボタン１２２等が設けられている操作部の付近や、図５（第２の実施の形態）で示した演出操作装置２６等が設けられている操作部の付近に設けられる。以下、液晶ユニット５００を用いて説明するが、本内容は、液晶ユニット５００に限らず、メイン基板ユニット以外のサブ基板ユニット、ＬＥＤ基板ユニット、電源基板ユニットに適用することが可能である。
【０１０４】
図１７は、液晶ユニット５００の分解斜視図である。液晶ユニット５００は、フレーム５１０、液晶保護シート５２０、液晶モジュール５３０、液晶ベース５４０、液晶制御基板（基板）５５０、および液晶カバー５６０等を備えている。
【０１０５】
フレーム５１０は、矩形枠状の部材であり、液晶モジュール５３０の前面側外周部を覆うように形成されている。フレーム５１０は、例えば樹脂で形成されている。フレーム５１０は、液晶ベース５４０との間に、液晶保護シート５２０および液晶モジュール５３０を挟むようにして、液晶ベース５４０に固定部材により固定されている。固定部材としては、例えばネジ等がある。
【０１０６】
液晶保護シート５２０は、液晶モジュール５３０の前面に配置される矩形板状の部材である。液晶保護シート５２０は、例えばＰＥＴ素材やガラス素材により形成され、例えば無色透明となっている。
【０１０７】
液晶モジュール５３０は、例えば透過型であり、矩形板状に形成されている。液晶モジュール５３０は、液晶層、偏光フィルタ、カラーフィルタ、ガラス基板、配向膜、透明電極およびバックライト等を備えて形成され、複数層構造となっている。図１８は、液晶モジュール５３０を背面側（後方側）から見た斜視図である。液晶モジュール５３０は、ＦＰＣ（配線手段）５３１を備え、このＦＰＣ５３１を介して液晶制御基板５５０と電気的に接続されるようになっている。本実施の形態では、この配線手段としてＦＰＣ（Flexible Printed Circuits)５３１を用いる。ＦＰＣ５３１の材質は、例えばＰＥＴフィルムまたはポリイミドフィルムであり、フィルムには電気回路が配線されている。ＦＰＣ５３１は、液晶モジュール５３０の一方の長辺における略中央部から背面側に向かって延出されている。
【０１０８】
図１７に戻り説明する。液晶ベース５４０は、略矩形板状の部材であり、その前面側で液晶モジュール５３０を保持するとともに、その背面側で液晶制御基板５５０を保持するように形成されている。液晶ベース５４０は、例えば樹脂で形成されている。また、液晶ベース５４０には、ＦＰＣ５３１と対向する位置に、略矩形状の貫通孔５４１が設けられている。ＦＰＣ５３１は、この貫通孔５４１を介して液晶ベース５４０の背面側（液晶制御基板５５０側）に導かれる。
【０１０９】
液晶制御基板５５０は、複数の電子部品が実装（配置）された板状の部材である。図１９は、液晶制御基板５５０を背面側から見た図（平面図）である。液晶制御基板５５０に実装される電子部品としては、抵抗（Ｒ）、ＩＣ、コンデンサ、コイル、ダイオード等がある。
図１７に示すように、液晶カバー５６０は、略矩形板状の部材であり、液晶制御基板５５０の背面側を覆うように形成されている。液晶カバー５６０は、例えば樹脂で形成されている。液晶カバー５６０は、液晶ベース５４０との間に、液晶制御基板５５０を挟むようにして、液晶ベース５４０に固定部材により固定されている。固定部材としては、例えばネジ等がある。
【０１１０】
図１９に示すように、液晶制御基板５５０には、コネクタ５５１が実装されている。このコネクタ５５１は液晶制御基板５５０と電気的に接続されている。本実施の形態では、コネクタ５５１として、アングルタイプのコネクタを用いている。このコネクタ５５１は、ＦＰＣ（配線手段）５３１（図１８参照）と嵌合可能なＦＰＣ用のメスコネクタとなっている。図２０は、液晶制御基板５５０を側方から見た図であるが、アングルタイプとは、液晶制御基板５５０に実装した際に、ＦＰＣ５３１と嵌合（接続）する面Ｅ（嵌合面Ｅ）（開口面Ｅ）が、基板面と垂直となっているものを指す。これは、ＦＰＣ５３１の挿抜方向が基板面と平行になっているともいえる。
【０１１１】
図１９に示すように、コネクタ５５１は、液晶制御基板５５０の外周側の端部ではなく、液晶制御基板５５０の内側（中央部側）に配置されている。このようにコネクタ５５１を液晶制御基板５５０の中央部側に設ける理由としては、例えば所定の長さを有するＦＰＣ５３１を用いることが挙げられる。仮に、所定の長さを有するＦＰＣ５３１を用いつつ、コネクタ５５１を液晶制御基板５５０の外周側の端部に設けた場合、ＦＰＣ５３１の経路が液晶制御基板５５０の外側にはみ出してしまう。これは液晶ユニット５００の大型化を招き、省スペース化（小型化）の妨げとなる。
【０１１２】
図２１は、ＦＰＣ５３１をコネクタ５５１に嵌合させた状態を示しており、コネクタ５５１からＦＰＣ５３１が引き出されている（延出されている）。このとき、ＦＰＣ５３１と液晶制御基板５５０とが対向する領域（範囲）が存在し、その領域ではＦＰＣ５３１と液晶制御基板５５０とが近接した状態となっている。仮に、その領域、すなわちＦＰＣ５３１の経路の直下となる位置に抵抗、ＩＣ等の電子部品が実装されている場合、ＦＰＣ５３１と電子部品とが近接することとなる。この場合、電子部品から放出される熱によるＦＰＣ５３１の故障や、高温となった電子部品が故障するといった問題が生じる虞がある。
【０１１３】
図２２は、ＦＰＣ５３１をコネクタ５５１から取り外した状態を示している。本実施の形態では、液晶制御基板５５０におけるＦＰＣ５３１の経路の直下となる位置、すなわち液晶制御基板５５０におけるＦＰＣ５３１と対向する領域（範囲）を、電子部品を配置しない（電子部品が実装されない）実装禁止領域Ｇとしている。このように実装禁止領域Ｇを設けることで、コネクタ５５１を液晶制御基板５５０の外周側の端部以外の箇所、例えば液晶制御基板５５０の中央部付近に配置する場合であっても、ＦＰＣ５３１と電子部品とが近接することがない。これにより、電子部品から放出される熱によるＦＰＣ５３１の故障や、高温となった電子部品の故障といった問題が生じるのを防止できる。
実装禁止領域Ｇには電子部品が配置されておらず、また、スルーホール、配線パターン等が形成されていない。換言すると、実装禁止領域Ｇには電子部品が配置されておらず、加工が施されていない。このように実装禁止領域Ｇを形成することで、ＦＰＣ５３１をコネクタ５５１に挿入する際に妨げとなるものがなく、作業性が向上する。また、加工が施されていないため、検査（品質管理）が容易となり、製造にかかる時間を短縮できる（すなわち生産性が向上する）。また、加工が施されていないため、製造にかかるコストを低減できる。
【０１１４】
本実施の形態では、所定の長さを有するＦＰＣ５３１を用い、コネクタ５５１を液晶制御基板５５０の中央部側に配置する場合を示したが、例えば、より長さの短いＦＰＣ５３１を用いる場合、コネクタ５５１をより液晶制御基板５５０の外周側に配置することは可能である。本実施の形態において、液晶制御基板５５０の外周側の端部以外の箇所にコネクタ５５１を配置するというのは、コネクタ５５１の嵌合面Ｅ（図２０参照）が液晶制御基板５５０の外周側面と同一面（つら）とはならず、嵌合面Ｅが液晶制御基板５５０の外周側面（外周端）より内側に位置していることをいい、実装禁止領域Ｇは、仮に電子部品を配置した場合に、少なくとも１つの電子部品（例えばチップ抵抗）を配置（搭載）することが可能な大きさとなっている。なお、電子部品としては、ＩＣ、抵抗、コンデンサ、ＬＥＤ等がある。
【０１１５】
本実施の形態に係る液晶ユニット５００は操作部の付近に設けられており、振動を受ける可能性があるが、実装禁止領域Ｇを設けていることにより、振動によりＦＰＣ５３１が動いた（振れた）場合でもＦＰＣ５３１が電子部品と接触せず、例えば液晶の画像乱れを防止できる。また、実装禁止領域Ｇを設けているため、ＦＰＣ５３１と電子部品とが接触せず、電子部品がＦＰＣ５３１から力を受けて、液晶制御基板５５０から外れるのを防止できる。また、実装禁止領域Ｇを設けており電子部品が実装されていないため、作業者等がＦＰＣ５３１をコネクタ５５１に挿入する際にスムーズに差し込むことができ、作業性が向上する。
【０１１６】
なお、図２３に示すように、コネクタ５５１は軸回りに回転自在に支持された保持部５５２を備えるものとしてもよい。コネクタ５５１は、保持部５５２が開いた状態にてＦＰＣ５３１が差し込まれ、その状態で保持部５５２が閉じられると、ＦＰＣ５３１とコネクタ５５１の嵌合がロックされる。
【０１１７】
また、図１７に示すように、液晶カバー５６０における、コネクタ５５１の保持部５５２と対向する位置に、壁状の凸部５６１を立設してもよい。凸部５６１は、コネクタ５５１の保持部５５２が開くのを防ぐために設けられる。なお、保持部５５２と凸部５６１との間には僅かな隙間が設けられている。この凸部５６１を設けることで、ＦＰＣ５３１がコネクタ５５１から抜けてしまうのを確実に防止できる。
【０１１８】
また、図２３において、コネクタ５５１と電子部品Ｔ１（例えばＩＣ）とは、コネクタ５５１の左端と、電子部品Ｔ１の右端とが同一直線上または略同一直線上の位置関係となるように配置されている。このとき、電子部品Ｔ１の右端と、ＦＰＣ５３１の左端との間に微小な隙間が設けられている。このため、ＦＰＣ５３１をコネクタ５５１に差し込む際に電子部品Ｔ１が妨げとならず、作業性が向上する。
【０１１９】
本実施の形態では、配線手段の一例としてＦＰＣ５３１を用いる場合を示した。ＦＰＣは、フレキシブルプリント基板（フレキシブルプリント配線板）であり、絶縁性を有するフィルム上に複数の電気回路（配線）が形成されている。当該複数の配線を介して信号や電力を送ることができる。
図３０は、ＦＰＣ５３１を基板面側から見た図である。手前側に基板（不図示）が位置している。本実施の形態では、ＦＰＣ５３１は、ベースフィルム（ポリイミド）の片面に銅箔層（回路）が接着され、接続部５３１ａを除く部分（すなわちケーブル部５３１ｂ）では、回路を覆うようにカバーフィルム（ポリイミド）が接着（圧着）されている。接続部５３１ａはコネクタ５５１（図２３参照）に接続される（差し込まれる）部分であり、端子（回路）が露出している。なお、端子には表面処理（例えばニッケルめっき）が施されていてもよい。また、接続部５３１ａ以外の部分がケーブル部５３１ｂであり、このケーブル部５３１ｂは基板と対向する。また、ケーブル部５３１ｂと対向する基板の領域は実装禁止領域Ｇ（図２２参照）となっている。なお、配線手段をＦＰＣ５３１とする場合、ケーブル部５３１ｂの基板側の面であって、基板と対向しない領域（例えば図３０の領域Ｊ）に、抵抗等の電子部品が実装されていてもよい。また、本実施の形態ではＦＰＣ５３１を単層（片側）ＦＰＣとしたが、両面ＦＰＣや多層ＦＰＣとしてもよい。
また、配線手段としてＦＦＣ（Flexible Flat Cable）を用いてもよい。ＦＦＣは、複数の配線（導体）が上下から接着剤を介して絶縁フィルム（例えばポリイミドフィルム）に挟まれて形成されている。この場合、コネクタ５５１としてＦＦＣ用のメスコネクタを用いればよい。なお、ＦＦＣを用いる場合も、コネクタ５５１に接続される部分である接続部５３１ａ（例えばＦＦＣ用のコネクタ）と、接続部５３１ａを除く部分であるケーブル部５３１ｂとが、それぞれ設けられる。このケーブル部５３１ｂは基板と対向している。
ＦＰＣやＦＦＣは、薄いシート状（フィルム状）のフラットケーブルということができる。フラットケーブルは所定の幅を有しているため、液晶制御基板５５０と対向する領域が形成されやすい。このため、実装禁止領域Ｇを設けることがより有効となる。
【０１２０】
また、配線手段として、２本以上の複数の電線（配線）（ケーブル）が束となったハーネス（ワイヤーハーネス）を用いてもよい。当該ハーネスは、複数の電線（ケーブル部５３１ｂ）の先端に、所定の極数を有する１つのオスコネクタ（接続部５３１ａ）が設けられている。その場合、コネクタ５５１として当該オスコネクタと嵌合可能なメスコネクタが用いられ、当該オスコネクタ（接続部５３１ａ）がコネクタ５５１に差し込まれる。このとき、ケーブル部５３１ｂは基板と対向している。
配線手段は、少なくとも２本の配線を有しているが、４本以上の配線を有していることがより好ましく、８本以上の配線を有していることがさらに好ましい。８本の配線を有している場合、１バイトの信号を送ることができる。
【０１２１】
また、本実施の形態ではコネクタ５５１の一例としてアングルタイプのコネクタを用いる場合を示したが、ストレートタイプのコネクタ、すなわちＦＰＣ５３１の挿抜方向が基板面と垂直なっているコネクタ、換言すると嵌合面Ｅ（図２０参照）が基板面と平行となっているコネクタを用いてもよい。
なお、コネクタ５５１をストレートタイプのコネクタとした場合、アングルタイプのコネクタの場合に比べてＦＰＣ（配線手段）５３１の曲げ量が大きくなり、ＦＰＣ５３１にかかる応力が増大するため、例えば断線等の虞がある。これに対し、アングルタイプのコネクタでは曲げによる負荷が小さいため、そのような問題は生じない。また、ストレートタイプのコネクタとした場合、ＦＰＣ５３１が基板から離れる方向に山なりに湾曲する。そのため、ＦＰＣ５３１と干渉しないように液晶カバー５６０のサイズをより大きくしなければならない。すなわち、小型化（省スペース化）の妨げとなる。これに対し、アングルタイプのコネクタでは、ＦＰＣ５３１がより基板に接近した位置を通過するため、そのような問題は生じない。また、アングルタイプのコネクタの場合、ＦＰＣ５３１がより基板に接近するため、仮に基板に電子部品が配置されている場合には、電子部品との距離が小さくなる。このため、本実施の形態のように、実装禁止領域Ｇを設けることがより有効なものとなる。また、アングルタイプのコネクタを用いた場合、既述のとおり、コネクタ５５１の保持部５５２が開くのを防ぐ形状（液晶カバー５６０の凸部５６１）を設けることができる。このため、ＦＰＣ５３１がコネクタ５５１から容易に外れないようにすることができる。
【０１２２】
また、図示は省略するが、実装禁止領域Ｇには、少なくとも１つのスルーホール（ビアホール）を設けることができる。実装禁止領域Ｇにスルーホールを設けることで、ノイズに対する耐性が向上するという効果を得ることができる。また、実装禁止領域Ｇにスルーホールを設けることで、液晶制御基板５５０の前方側（遊技者側）の空間と液晶制御基板５５０の後方側（背面側）の空間との間の空気の通り道が形成され、両空間が連通し、放熱効果を得ることができる。例えば、液晶制御基板５５０の前方側の面（液晶ベース５４０側の面）（コネクタ５５１が実装されている面とは反対側の面）にも電子部品を実装することができる。その場合、液晶制御基板５５０の前方側でも熱が発生することとなるが、当該スルーホールを設けることで、熱が全体（後方側の空間を含む）に拡散されることとなり、液晶制御基板５５０の前方側の空間のみが高温となることによる電子部品の故障等を防止できる。
【０１２３】
また、図示は省略するが、実装禁止領域Ｇには、少なくとも１つの配線パターンを設けることができる。このように実装禁止領域Ｇに配線パターンを設けることで、回路設計の自由度が増し、設計効率が向上する。また、実装禁止領域Ｇに配線パターンを設けない場合、基板のサイズをより大きくしなければ配線パターンを引けないという問題が生じる虞があるが、そのような大型化の問題の発生を防ぐことができる。
【０１２４】
また、本実施の形態では、実装禁止領域Ｇを液晶制御基板５５０に設けたが、これに限らずその他の基板に設けてもよい。その他の基板とは、サブ基板２１０、ＬＥＤ基板、液晶基板、電源基板、サブ基板２１０からＬＥＤ基板までを中継する中継基板等である。
【０１２５】
次に、サブ基板ユニット２００の端部の構成について説明する。
図２４（ａ）は、サブ基板ユニット２００を背面側から見た概略図（平面図）であり、図２４（ｂ）は、図２４（ａ）に示すＶ−Ｖ線での概略断面図である。図２４（ｃ）は、サブ基板２１０を背面側から見た概略図（平面図）である。なお、図示を省略しているが、サブ基板２１０には、電子部品等が実装されている。電子部品としては、例えば、抵抗、ＩＣ、コンデンサ、コイル、ダイオード等がある。
サブ基板ケース２２０（以下、ケース２２０という）は、例えば透明樹脂で形成されており、上下方向断面が略凹形状を有している。また、図２４（ｃ）に示すように、サブ基板２１０には、コネクタ２１１が実装されている。コネクタ２１１は、アングルタイプのメスコネクタであり、サブ基板２１０と電気的に接続されている。
以下、サブ基板２１０の外周の４つの辺のうち、所定の１つの辺を端部（外周端）αとする。また、コネクタ２１１の開口部（開口面）（オスコネクタが挿入される面）を開口部βとする。本例では、コネクタ２１１の開口部βが、サブ基板２１０の端部α側を向き、開口部βと端部αとが互いに平行となっている。また、開口部βと端部αとの間には、所定の距離が確保されている。所定の距離とは、例えば約２〜３ｍｍ程度である。また、サブ基板２１０の端部αと同じ側に位置する（端部αに対応する側の）、ケース２２０の１つの辺を端部（外周端）γとする。
【０１２６】
図２５は、サブ基板２１０の端部α、コネクタ２１１の開口部β、およびケース２２０の端部γの構成例を示す図である。図２５（ａ）では、平面視において、コネクタ２１１の開口部βと、ケース２２０の端部γとが重なって一致した状態となっている。換言すると、ケース２２０の端部γが、コネクタ２１１の開口部βの直上に位置している。この状態は、コネクタ２１１がケース２２０の端部γよりも内側に位置しているともいえる。さらに換言すると、コネクタ２１１の上にはケース２２０が存在している。
【０１２７】
図２５（ａ）では、ケース２２０の端部γが直線となっているものを示したが、図２５（ｂ）に示すように、ケース２２０におけるコネクタ２１１と対向する位置に、コ字状の切り欠きを形成し、切り欠きの内側（内周端）（内周面）が端部γを構成するようにしてもよい。以下、ケース２２０にコ字状の切り欠きが設けられている場合、切り欠きの内側の端部であって、端部α、開口部βと平行な端部を端部γという。図２５（ｂ）に示す場合でも、平面視において、開口部βと端部γとが重なって一致した状態となっている。
【０１２８】
図２５（ｃ）は、図２５（ｂ）に示す状態で、ハーネスのコネクタ（オスコネクタ）２５０をコネクタ２１１に嵌合させた状態を示している。コネクタ２５０はケース２２０の端部γよりも外側に位置している。換言すると、コネクタ２５０の上にケース２２０は存在していない。
【０１２９】
このような端部の位置関係によれば、コネクタ２１１がケース２２０の端部γよりも内側に位置し、コネクタ２１１の上にケース２２０が存在しているため、作業者等は、平面視上側からコネクタ２１１に触れることはできない。これにより、コネクタ２１１に力（負荷）が加わることによるコネクタ２１１の破損や、コネクタ２１１がサブ基板２１０から外れてしまうのを防ぐことができる。
また、コネクタ（オスコネクタ）２５０がケース２２０の端部γより外側に位置しているため、作業者等は、平面視上側からコネクタ２５０には触れることができる。このため、コネクタ２５０の爪部（図示せず）を押してコネクタ２１１との嵌合を容易に解除することができ、作業性が向上する。また、図２５（ｃ）に示すように、コネクタ２５０の配線（ケーブル）側の端部（端面）を端部δとすると、端部δはサブ基板２１０の端部αよりも外側に飛び出ている。このため、作業者等はコネクタ２５０をよりつまみやすく、コネクタ２５０の抜き挿しがより容易となる。
【０１３０】
次に、図２６を用いて、サブ基板２１０の端部α、コネクタ２１１の開口部β、およびケース２２０の端部γの別の構成例について説明する。
本例では、平面視において、サブ基板２１０の端部αと、コネクタ２１１の開口部βと、ケース２２０の端部γとが、すべて重なって一致した状態となっている。換言すると、サブ基板２１０の端部αと、コネクタ２１１の開口部βと、ケース２２０の端部γとが同一直線上に位置している。
【０１３１】
このような端部の位置関係によれば、コネクタ２１１がケース２２０の端部γよりも内側に位置し、コネクタ２１１の上にケース２２０が存在しているため、作業者等は、平面視上側からコネクタ２１１に触れることはできない。これにより、コネクタ２１１に力（負荷）が加わることによるコネクタ２１１の破損や、コネクタ２１１がサブ基板２１０から外れてしまうのを防ぐことができる。また、平面視において、サブ基板２１０の端部αとケース２２０の端部γとが一致しており、サブ基板２１０がケース２２０に覆われているため、サブ基板２１０に異物等が付着するのを防止できる。
また、コネクタ（オスコネクタ）２５０がケース２２０の端部γより外側に位置しているため、作業者等は、平面視上側からコネクタ２５０に触れることができる。このため、コネクタ２５０の爪部（図示せず）を押してコネクタ２１１との嵌合を容易に解除することができ、作業性が向上する。また、コネクタ２５０がサブ基板２１０の端部αよりも外側に飛び出ているため、作業者等はコネクタ２５０をよりつまみやすく、コネクタ２５０の抜き挿しがより容易となる。
【０１３２】
次に、図２７を用いて、サブ基板２１０の端部α、コネクタ２１１の開口部β、およびケース２２０の端部γの別の構成例について説明する。図２７では、平面視において、コネクタ２５０の配線側の端部δと、サブ基板２１０の端部αとが重なって一致している。これはコネクタ２５０の端部δが、サブ基板２１０の外周側面とつらとなっているともいえる。
コネクタ２５０の配線側の端部δがサブ基板２１０の端部αより外側に飛び出ている場合、壁としての保護機能を果たすサブ基板２１０が存在しないため、例えばコネクタ２５０に指が当たる等、コネクタ２５０が力（外力）（衝撃）を受けやすいものであった。このため、コネクタ２５０が力を受けた場合に、コネクタ２５０とコネクタ２１１との嵌合が外れてしまうという問題や、コネクタ２１１がサブ基板２１０から外れてしまうという問題等が生じるおそれがあった。これに対し、図２６に示すように、コネクタ２５０の配線側の端部δをサブ基板２１０の端部αと一致させた場合、コネクタ２５０がサブ基板２１０の端部αよりも外側に飛び出ていないため、指等が当たりにくく、コネクタ２５０は力を受けにくい。これにより、上記問題の発生を防ぐことができる。
【０１３３】
次に、図２８を用いて、サブ基板２１０の端部α、コネクタ２１１の開口部β、およびケース２２０の端部γの別の構成例について説明する。
図２８（ａ）に示すように、コネクタ２１１における開口部βとは反対側（基板の内側）の端部（端面）を端部εとする。本例では、平面視において、ケース２２０の端部γが、端部εよりも内側（基板の内側）に位置している。すなわち、コネクタ２１１がケース２２０の端部γよりも外側（基板の外側）に位置しており、コネクタ２１１の上にケース２２０が存在していない。なお、図２８（ｂ）に示すように、平面視において、ケース２２０の端部γと、コネクタ２１１の端部εとを一致させてもよい。
【０１３４】
このような端部の位置関係によれば、コネクタ２１１がケース２２０の端部γより外側（基板の外側）に位置しているため、作業者等は、コネクタ２１１の上部を押さえながら、コネクタ２５０をコネクタ２１１に挿入することができる。これにより、コネクタ２５０をコネクタ２１１に挿入する際の力（挿入力）によって、コネクタ２１１がサブ基板２１０から外れてしまうのを防止できる。特に、コネクタ２１１が挿入実装ではなく表面実装されている場合、表面実装されているコネクタは力を受けると基板から外れやすい（接着強度が低い）ため、本例のように構成することがより有効となる。
【０１３５】
図２４〜図２８では、１つのコネクタ２１１がサブ基板２１０に実装されている例を示したが、図２９に示すように、複数のコネクタ２１１がサブ基板２１０に並設されるように構成してもよい。
【０１３６】
（第３の実施の形態）
次に第３の実施の形態について説明する。本実施の形態では、図１（第１の実施の形態）で示したスロットマシン１００のメイン裏箱基板ユニット７００を用いて説明するが、本内容はパチンコ遊技機１（第２の実施の形態）に用いられるメイン系の基板ユニットにも適用することができる。
図３５（ａ）は、図１で示したスロットマシン１００の正面図であって、前面扉１１２（図１参照）を取り外した状態を示している。メイン裏箱基板ユニット７００は、筐体（裏箱）１１１の内部であって、メイン基板ユニット４００の隣（正面から見て右側）に配置されている。メイン基板ユニット４００やメイン裏箱基板ユニット７００を含むメイン系の基板ユニットはメイン系の基板（メイン基板）を備えており、不正防止の観点からケースに覆われている。
【０１３７】
図３５（ｂ）は、メイン裏箱基板ユニット７００と、そのメイン裏箱基板ユニット７００を背面側から支持するブラケット７９９とを、正面側から見た分解斜視図である。メイン裏箱基板ユニット７００は、基板ケース７１０（以下、単にケース７１０という）と、メイン裏箱基板７２０（以下、単に基板７２０という）とを備えている。基板７２０には、コンデンサ等の電子部品や、コネクタ（メスコネクタ）７２１等が配置（実装）されている。以下、基板７２０における電子部品やコネクタ７２１が配置されている面を部品配置面Ｚという。
【０１３８】
ケース７１０は、箱状に形成され、背面側（基板７２０側）の面が開口している。ケース７１０は、部品配置面Ｚと対向する天板部７１１と、天板部７１１の外周に沿って天板部７１１と垂直に設けられた側板部７１２とを備えている。側板部７１２は、基板７２０が内部に配置されると、基板７２０の側面（外周面）と対向するようになっている。また、側板部７１２における天板部７１１側とは反対側の端部は、ケース開口部７１４（図３９で示す）となっている。ケース７１０は断面凹形状を有しており、基板７２０を覆うことが可能に形成されている。換言すると、ケース７１０は、基板７２０を内側に配置（設置）可能に形成されている。また、ケース７１０は、透明樹脂で形成されており、正面側から内部の基板７２０を視認できるようになっている。
【０１３９】
図３５（ｂ）に示すように、天板部７１１におけるコネクタ７２１と対応（対向）する位置には、コネクタ開口部７１３が形成されている。本実施の形態では、複数のコネクタ７２１が基板７２０に配置されており、その複数のコネクタ７２１に対応するようにして複数のコネクタ開口部７１３が設けられている場合を示す。ただし、コネクタ７２１およびコネクタ開口部７１３はそれぞれ少なくとも１つ設けられていればよい。コネクタ開口部７１３は、コネクタ７２１にオスコネクタ（図示せず）を嵌合可能とするために（すなわちコネクタ７２１を露出させるために）設けられている。
【０１４０】
図３６は、メイン裏箱基板ユニット７００を正面側から見た図である。また、図３７（ａ）は、図３６に示すＣ−Ｃ線の概略断面図である。また、図３７（ｂ）は、図３６に示すＤ−Ｄ線の概略断面図である。なお、図３７（ａ）および図３７（ｂ）では、断面であることを示すハッチングを省略している。
図３７（ａ）に示すように、コネクタ７２１の外周面（外周側面）であって基板７２０の部品配置面Ｚと垂直な面を、コネクタ外周面７２１ａとする。また、コネクタ開口部７１３の内周面をコネクタ開口部内周面７１３ａとする。コネクタ外周面７２１ａとコネクタ開口部内周面７１３ａとは互いに対向している。なお、コネクタ開口部内周面７１３ａにテーパーが設けられている場合、コネクタ外周面７２１ａとの隙間が最も狭くなる箇所（コネクタと最も接近する箇所）をコネクタ開口部内周面７１３ａとする。なお、本実施の形態では、コネクタ７２１およびコネクタ開口部７１３がそれぞれ矩形状である場合を示すが、コネクタ７２１が正方形（平面視）である場合は、コネクタ開口部７１３は正方形となる。すなわち、コネクタ開口部７１３は、コネクタ７２１の外形に沿った形状であればよい。
【０１４１】
図３７（ａ）に示すように、コネクタ７２１の外形の長手方向寸法（左右方向寸法）を寸法ＡＬ１とする。また、コネクタ開口部７１３の長手方向寸法（左右方向寸法）（対向する一対のコネクタ開口部内周面７１３ａ間の寸法）を寸法ＢＬ１とする。また、図３７（ｂ）に示すように、コネクタ７２１の外形の短手方向寸法（上下方向寸法）を寸法ＡＬ２とする。また、コネクタ開口部７１３の短手方向寸法（上下方向寸法）（対向する一対のコネクタ開口部内周面７１３ａ間の寸法）を寸法ＢＬ２とする。
【０１４２】
本実施の形態では、寸法ＢＬ１と寸法ＡＬ１との差（寸法ＢＬ１−寸法ＡＬ１）は約２ｍｍとなっている。また、寸法ＢＬ２と寸法ＡＬ２との差（寸法ＢＬ２−寸法ＡＬ２）も約２ｍｍとなっている。すなわち、所定方向のコネクタ開口部７１３の開口寸法と、それと同方向のコネクタ７２１の外形寸法との差Ｍ（寸法差Ｍ）（隙間Ｍ）（第１の差）は、約２ｍｍとなっている。所定方向とは、コネクタ７２１の外周面（部品配置面Ｚと垂直な面）に沿う方向であって、互いに直交する２方向（第１の方向と第２の方向）である。本実施の形態では、所定方向とは、コネクタ７２１外周面の長手方向に沿う方向（図３７（ａ）の方向）（第１の方向）と、コネクタ７２１外周面の短手方向に沿う方向（図３７（ｂ）の方向）（第２の方向）とがある。コネクタ７２１がコネクタ開口部７１３の中央に位置している状態では、コネクタ外周面７２１ａとコネクタ開口部内周面７１３ａとの間に、全周にわたって約１ｍｍの隙間が形成されている。このようにコネクタ外周面７２１ａとコネクタ開口部内周面７１３ａとの間の隙間を小さく形成することで、器具等の差し込みが困難となり、不正を防止できるようになっている。
【０１４３】
また、コネクタ外周面７２１ａとコネクタ開口部内周面７１３ａとの間（隙間）に対応する位置の基板７２０には、抵抗、コンデンサ等の電子部品は配置されていない。すなわち、コネクタ外周面７２１ａとコネクタ開口部内周面７１３ａとの隙間を介して、電子部品が視認されることはない。このため、仮に当該隙間を介して器具等を差し込まれた場合であっても、隙間の直下に電子部品が存在しないため、器具等が電子部品に接触することはない。これにより、不正に対する対策をより強化できる。
【０１４４】
図３８は、メイン裏箱基板ユニット７００を背面側から見た図である。
ケース７１０の内側には基板７２０が配置されるが、基板７２０は、まずケース７１０の内側に配置される（仮置きされる）。次に、ケース７１０と基板７２０の両方に同軸に設けられている複数の取付孔ＭＨ（本実施の形態では４隅の４箇所）に、ねじ等（図示せず）を締め付けることによって、基板７２０がケース７１０に固定される。ここで、図３７で説明したようにコネクタ外周面７２１ａとコネクタ開口部内周面７１３ａとの隙間は小さくなっている。そのため、基板７２０をケース７１０の内側に配置（仮置き）しただけの状態や、ねじ締めの工程において、仮に基板７２０の位置がずれた場合に、コネクタ外周面７２１ａとコネクタ開口部内周面７１３ａとが接触するおそれがある。コネクタ外周面７２１ａとコネクタ開口部内周面７１３ａとが接触した場合、コネクタ７２１の変形、破損や、コネクタ７２１が基板７２０から外れてしまうという問題が生じるおそれがある。このことは遊技機の品質低下につながる。
【０１４５】
次に、そのような問題の発生を防ぐための構造について説明する。図３９は、ケース７１０を背面側から見た斜視図である。以下、ケース７１０の側板部７１２の内周面を内周面７１２ａとする。この内周面７１２ａは、ケース７１０の内側に配置された（ねじ締め前）基板７２０の位置を規制する役割を果たす。本実施の形態では、内周面７１２ａにさらに複数（７箇所）の位置規制部７３０を設けている。位置規制部７３０が設けられている場合には、この位置規制部７３０が基板７２０の位置を規制する機能を担う。
【０１４６】
位置規制部７３０は、リブ状に形成されている。本実施の形態の位置規制部７３０には、基板７２０の短手方向（左右方向）の動き（移動）を規制する位置規制部７３１ａ，７３１ｂ，７３２ａ，７３２ｂと、基板７２０の長手方向（上下方向）の動き（移動）を規制する位置規制部７３３ａ，７３３ｂ，７３３ｃとがある。位置規制部７３０は、天板部７１１側の部分がケース開口部７１４側の部分よりも内側に向かって突出するＬ字状に形成されている。位置規制部７３０は、基板７２０の部品配置面Ｚと接触（当接）する面を有する支持部７３０Ａと、所定の隙間を介して基板７２０の外周面と対向する面を有する規制部７３０Ｂとを有している。
【０１４７】
対向する一対の側板部７１２，７１２間の寸法という場合、位置規制部７３０が設けられている場合には、対向する一対の位置規制部７３０，７３０間の寸法を指し、位置規制部７３０が設けられていない場合には、対向する一対の側板部７１２，７１２（内周面７１２ａ，７１２ａ）間の寸法を指す。
【０１４８】
図４０（ａ）は、図３８に示すＨ−Ｈ線の概略断面図である。図４０（ｂ）は、図３８に示すＩ−Ｉ線の概略断面図である。なお、図４０（ａ）および図４０（ｂ）では、断面であることを示すハッチングを省略している。
図４０（ａ）に示すように、対向する一対の側板部７１２，７１２間の寸法、すなわち一対の位置規制部７３１ａ，７３１ｂ間の寸法を寸法ＣＬ１とする。なお、図示を省略しているが、一対の位置規制部７３２ａ，７３２ｂ間の寸法も寸法ＣＬ１となっている。また、基板７２０の左右方向（短手方向）の寸法を寸法ＤＬ１とする。図４０（ｂ）に示すように、対向する一対の側板部７１２，７１２間の寸法、すなわち一対の位置規制部７３３ａ，７３３ｂ間の寸法（直線距離、最短距離）を寸法ＣＬ２とする。なお、図示を省略しているが、一対の位置規制部７３３ａ，７３３ｃ間の寸法も寸法ＣＬ２となっている。また、基板７２０の上下方向（長手方向）の寸法を寸法ＤＬ２とする。
【０１４９】
本実施の形態では、寸法ＣＬ１と寸法ＤＬ１との差（寸法ＣＬ１−寸法ＤＬ１）は約１ｍｍとなっている。また、寸法ＣＬ２と寸法ＤＬ２との差（寸法ＣＬ２−寸法ＤＬ２）も約１ｍｍとなっている。すなわち、所定方向の対向する一対の側板部７１２間のケース内側寸法と、それと同方向の基板７２０の外形寸法との差（寸法差Ｎ）（隙間Ｎ）（第２の差）は、約１ｍｍとなっている。所定方向とは、基板７２０の外形（外周面）に沿う、互いに直交する２方向（平面視）である。本実施の形態では、基板７２０外形の短手方向に沿う方向（図４０（ａ）の方向）と、基板７２０外形の長手方向に沿う方向（図４０（ｂ）の方向）とがある。基板７２０がケース７１０の中央に配置されている状態では、基板７２０の外周面とケース７１０の側板部７１２（位置規制部７３０）との隙間は、それぞれ約０．５ｍｍとなっている。なお、本実施の形態では、寸法差Ｎを約１ｍｍとしたが、この寸法差Ｎは約０．４ｍｍ〜約１ｍｍの範囲内で設定することができる。仮に寸法差Ｎが約０．４ｍｍの場合、基板７２０の外周面とケース７１０の側板部７１２（位置規制部７３０）との隙間は、それぞれ約０．２ｍｍとなる。
【０１５０】
本実施の形態にあっては、ケース７１０は、基板７２０のコネクタ７２１が配置されている面と対向する天板部７１１と、天板部７１１の外周に沿って形成された側板部７１２と、天板部７１１のコネクタ７２１に対応する位置に形成されたコネクタ開口部７１３とを備え、所定方向のコネクタ開口部７１３の開口寸法と、それと同方向のコネクタ７２１の外形寸法との差を第１の差（寸法差Ｍ）とし、所定方向で（所定方向において）対向する一対の側板部７１２，７１２間のケース内側寸法と、それと同方向の基板７２０の外形寸法との差を第２の差（寸法差Ｎ）とすると、第１の差が第２の差よりも大きい。このため、ケース７１０の内側に基板７２０を配置した状態（ねじ締めをする前の状態）（ケース７１０と基板７２０を組み立てる際）や、ねじ締めの工程で仮に基板７２０の位置がずれた場合であっても、コネクタ外周面７２１ａとコネクタ開口部内周面７１３ａとが接触（当接）（干渉）するよりも先に、基板７２０の外周面とケース７１０の側板部７１２（内周面７１２ａ）とが接触（当接）する。このため、コネクタ７２１に応力（負荷）がかかることがなく、コネクタ７２１の変形、破損や、コネクタ７２１が基板７２０から外れるという問題の発生を防ぐことができる。これにより、遊技機の品質低下を防ぐことができる。
【０１５１】
本実施の形態では寸法差Ｍを約２ｍｍとする場合を示したが、寸法差Ｍは寸法差Ｎよりも大きい値となっていればよい。また、本実施の形態では、リブ形状の位置規制部７３０を設ける場合を示した。位置規制部７３０を設けた場合、リブとリブの間の寸法を管理すればよいため、面と面の間の寸法を管理する場合に比べて、寸法管理が容易となる。また、仮に基板７２０のガタつきが大きい場合には位置規制部７３０の部分の金型を調整（修正）すればよく、対策が容易で工期を短縮できる。なお、位置規制部７３０を設けることは、基板７２０のサイズが所定サイズよりも大きい場合に特に有効となる。面と面の間の寸法を管理することが困難となるためである。一方、基板７２０のサイズが所定サイズよりも小さい場合等、面と面の間の寸法を管理することとしても十分にその精度を確保できる場合には、位置規制部７３０を設ける必要はない。すなわち、対向する一対の側板部７１２，７１２間の寸法を寸法ＣＬ１、ＣＬ２とすればよい。
【０１５２】
また、本実施の形態では、基板７２０の四方がケース７１０の側板部７１２によって囲われているものを示した。すなわち、基板７２０のすべての外周側面が、ケース７１０の側板部７１２と対向するものを示した。ただし、これに限らず、ケース７１０の４つの側板部７１２のうち、少なくとも１箇所の側板部７１２が設けられていなくてもよい。すなわち、ケース７１０の４つの側板部７１２のうち、少なくとも１箇所の側板部７１２が設けられておらず、開口していてもよい。その場合、例えば、ケース７１０の天板部７１１に位置決め用ボスが設けられ、その位置決め用ボスと対向する位置の基板７２０に、ボス孔が設けられている。そして、基板７２０をケース７１０の内部に配置する際に、位置決め用ボスをボス孔に挿入する。これにより、位置決め用ボスとボス孔との関係によっても基板７２０の位置が規制されることとなる。この場合、位置決め用ボスの直径とボス孔の内径との差（寸法差Ｎ）は例えば１ｍｍであり、寸法差Ｍ（２ｍｍ）よりも小さくなっている。そのため、コネクタ外周面７２１ａとコネクタ開口部内周面７１３ａとが接触するよりも先に、位置決め用ボスの外周面と、ボス孔の内周面とが接触することとなる。
【０１５３】
また、外形（サイズ）の異なる複数のコネクタ７２１が基板７２０に配置されている場合に、すべてのコネクタ７２１について、寸法差Ｍが同様（同等）となるようにしてもよい。この場合、仮にコネクタ外周面７２１ａとコネクタ開口部内周面７１３ａとが接触してしまう場合があったとしても、複数の箇所（すべてのコネクタ７２１）で、コネクタ外周面７２１ａとコネクタ開口部内周面７１３ａとが同時に接触することとなる。そのため、接触時の負荷（衝撃）が１つのコネクタ７２１に集中することなく複数のコネクタ７２１に分散される。これにより、コネクタ７２１の変形、破損を防止でき、コネクタ７２１が基板７２０から外れにくくなるという効果を奏する。
【０１５４】
また、図３６の右下に示すように、１つのコネクタ開口部７１３の内側に、複数（本実施の形態では２つ）のコネクタ７２１が並べて配置されていてもよい。コネクタ開口部７１３は、平面視において凹凸を有しているが、これは２つのコネクタ７２１の外形に沿った形状となっているためである。２つのコネクタ７２１がコネクタ開口部７１３の中央に位置している状態では、コネクタ外周面７２１ａとコネクタ開口部内周面７１３ａとの間の隙間は、全周にわたって約１ｍｍ（両側で約２ｍｍすなわち寸法差Ｍ）となっている。なお、本実施の形態では、外形（サイズ）の異なる２つのコネクタ７２１を１つのコネクタ開口部７１３の内側に配置したが、それらは同一形状であってもよい。また、２以上のコネクタ７２１が１つのコネクタ開口部７１３の内側に配置されていてもよい。また、隣り合う２つのコネクタ７２１の間の隙間は、２ｍｍ以下となっている。このように、コネクタ間の隙間を小さく形成することで、コネクタとコネクタの間に器具等の差し込むことが困難となり、不正に対する対策を強化できる。
【０１５５】
上述ではメイン系の基板ユニット（メイン裏箱基板ユニット７００）について説明した。次にサブ系の基板ユニットについて、図３１で示したサブ基板ユニット６００を用いて説明する。なお、本内容はパチンコ遊技機１（第２の実施の形態）に用いられるサブ系の基板ユニットにも適用することができる。
図３１（ｂ）で示したように、サブ基板ユニット６００は、サブ基板２１０と、サブ基板２１０を覆うケース２２０とを有している。また、ケース２２０には、コネクタＣＮを露出させるための開口（コネクタ開口部とする）が設けられている。すなわち、コネクタＣＮの外周面とコネクタ開口部の内周面との間には隙間が形成されている。
【０１５６】
サブ基板ユニット６００では、所定方向のコネクタ開口部の寸法と、それと同方向のコネクタＣＮの外形寸法との差Ｍ（寸法差Ｍ）は、約４ｍｍとなっている。すなわち、コネクタＣＮがコネクタ開口部の中央に位置している状態では、コネクタＣＮの外周面とコネクタ開口部の内周面との間に、全周にわたって約２ｍｍの隙間が形成されている。また、ケース２２０は側板部を有しているが、所定方向の対向する一対の側板部間のケース内側寸法と、それと同方向のサブ基板２１０の外形寸法との差Ｎ（寸法差Ｎ）は、約１ｍｍとなっている。すなわち、サブ基板２１０がケース２２０の中央に配置されている状態では、サブ基板２１０の外周面とケース２２０の内周面との隙間が、約０．５ｍｍとなっている。なお、図３１では、一方の方向（サブ基板ユニット６００の長手方向）の寸法差Ｍおよび寸法差Ｎのみを示しているが、それと直交する方向も同様に寸法差Ｍおよび寸法差Ｎの関係となっている。
【０１５７】
このように寸法差Ｍが寸法差Ｎよりも大きくなっているため、仮にサブ基板２１０の位置がずれた場合であっても、コネクタＣＮの外周面とコネクタ開口部の内周面とが接触するよりも先に、サブ基板２１０の外周面とケース２２０の内周面（側板部）とが接触する。このため、コネクタＣＮに応力（負荷）がかかることがなく、コネクタＣＮの変形、破損や、コネクタＣＮが基板２１０から外れるという問題の発生を防ぐことができる。
【０１５８】
また、図１３に示すように、サブ基板ユニットでは、音量調整スイッチ３００のつまみ３３０が、ケース２２０に形成されたケース開口（音量調整開口部）２２４を介して突出している。このとき、つまみ３３０の直径と音量調整開口部２２４の内径との差Ｍ（寸法差Ｍ）は、約４ｍｍとなっている。すなわち、つまみ３３０が音量調整開口部２２４の中央に位置している状態では、つまみ３３０の外周面と音量調整開口部２２４の内周面との間に全周にわたって約２ｍｍの隙間が形成されている。また、このとき、ケース２２０の位置（高さ）等によっては、音量調整開口部２２４の内周面と対向するのが、つまみ３３０の外周面ではなく、ハウジング３１０の外周面（外周側面）となる場合がある。その場合、ハウジング３１０は四角形（平面視）となっており、音量調整開口部２２４も同様に四角形（平面視）となっている。この場合にも、音量調整開口部の開口寸法とハウジング３１０の外形寸法との差Ｍ（寸法差Ｍ）は、約４ｍｍとなっている。すなわち、ハウジング３１０が音量調整開口部２２４の中央に位置している状態では、ハウジング３１０の外周面と音量調整開口部２２４の内周面との間に、全周にわたって約２ｍｍの隙間が形成されている。
【０１５９】
また、サブ基板２１０には、平面視四角形状のリセットスイッチＲＥが配置されている。ケース２２０には、リセットスイッチＲＥと対応する位置に、平面視四角形状のリセットスイッチ開口部が形成されている。このとき、リセットスイッチＲＥの外周面（外周側面）と、リセットスイッチ開口部の内周面とが対向する場合がある。この場合にも、リセットスイッチ開口部の開口寸法とリセットスイッチＲＥの外形寸法との差Ｍ（寸法差Ｍ）は、約４ｍｍとなっている。すなわち、リセットスイッチＲＥがリセットスイッチ開口部の中央に位置している状態では、リセットスイッチＲＥの外周面とリセットスイッチ開口部の内周面との間に、全周にわたって約２ｍｍの隙間が形成されている。
【０１６０】
このように、サブ基板ユニットにおいて、音量調整スイッチ３００やリセットスイッチＲＥにおいても、寸法差Ｍ（約４ｍｍ）が寸法差Ｎ（約１ｍｍ）よりも大きく形成されている。このため、仮にサブ基板２１０の位置がずれた場合であっても、つまみ３３０（またはハウジング３１０）と音量調整開口部２２４の内周面とが接触するよりも前に、サブ基板２１０の外周面とケース２２０の内周面（側板部）とが接触する。また、仮にサブ基板２１０の位置がずれた場合であっても、リセットスイッチＲＥとリセットスイッチ開口部の内周面とが接触するよりも前に、サブ基板２１０の外周面とケース２２０の内周面（側板部）とが接触する。これにより、音量調整スイッチ３００やリセットスイッチＲＥが変形、破損するのを防止できる。また、音量調整スイッチ３００やリセットスイッチＲＥがサブ基板２１０から外れてしまうのを防止できる。
【０１６１】
なお、リセットスイッチ開口部には、リセットスイッチ開口部を覆う蓋部がさらに設けられていてもよい。蓋部は、四角形状の板状部材であり、回転軸（一辺）がリセットスイッチ開口部付近（開口部の上側）の蓋支持部に回転可能に支持されている。蓋部の下側（回転軸側と反対側）をつまんで手前に引くことで、蓋部が回転して開いた状態となり、リセットスイッチＲＥが表れる。このようにリセットスイッチＲＥを覆う蓋部を設けることで、蓋部を開けない限り器具等を差し込むことができず、不正に対する対策をより強化できる。さらに、ケース２２０からサブ基板２１０側に突出し、リセットスイッチＲＥの周囲（外側）を囲むように形成されたリブをさらに設けてもよい。このようにリブを設けることで、仮に蓋部を開けて器具を差し込んだとしても、リブの存在によって器具等の侵入が妨げられ、器具等がリセットスイッチＲＥに接触しない。これにより、不正に対する対策をさらに強化できる。
【０１６２】
次に、その他のサブ系の基板ユニットであるサブ裏箱スレーブ基板ユニット６１０について説明する。図３５に示すように、サブ裏箱スレーブ基板ユニット６１０は、筐体（裏箱）１１１の内部における左側面に配置されている。図示は省略するが、サブ裏箱スレーブ基板ユニット６１０は、コネクタが配置された基板と、基板を覆うケースとを備えており、ケースには、コネクタを露出させるためのコネクタ開口部が設けられている。所定方向のコネクタ開口部の開口寸法と、それと同方向のコネクタの外形寸法との差Ｍ（寸法差Ｍ）は、約６ｍｍとなっている。すなわちコネクタがコネクタ開口部の中央に位置している状態では、コネクタの外周面とコネクタ開口部の内周面との間に、全周にわたって約３ｍｍの隙間が形成されている。また、ケースは側板部を有しており、所定方向の対向する一対の側板部間のケース内側寸法と、それと同方向の基板の外形寸法との差Ｎ（寸法差Ｎ）は、約１ｍｍとなっている。すなわち基板がケースの中央に配置されている状態では、基板の外周面とケースの内周面との隙間は、約０．５ｍｍとなっている。このように、サブ裏箱スレーブ基板ユニット６１０においても、寸法差Ｍ（約６ｍｍ）が寸法差Ｎ（約１ｍｍ）よりも大きくなるように形成されている。このため、コネクタの外周面とコネクタ開口部の内周面とが接触するよりも先に、基板の外周面とケースの内周面とが接触する。これにより、コネクタの変形、破損や、コネクタが基板から外れるという問題の発生を防ぐことができる。
【０１６３】
ここで、メイン系の基板ユニットとサブ系の基板ユニットとで寸法差Ｍを比較した場合、サブ系の基板ユニットの寸法差Ｍ（約４ｍｍまたは約６ｍｍ）は、メイン系の基板ユニットの寸法差Ｍ（約２ｍｍ）よりも大きくなっている。サブ系の基板ユニットの寸法差Ｍの最大値は、コネクタ幅（短い方の幅）をＸｍｍとした場合に、２Ｘとなっている。例えばコネクタ幅が５ｍｍの場合、寸法差Ｍの最大値は１０ｍｍとなる。このとき、コネクタ外周面とコネクタ開口部の内周面との隙間は全周にわたって５ｍｍとなり、当該隙間に、もう１つのコネクタを配置することは困難となる。
【０１６４】
メイン系では、基板をケースの内側に配置する際に、基板をケースの天板部に垂直な方向から降ろすように配置する構造とする必要がある。一方、サブ系では、基板をケースの内側に配置する際に、基板のいずれか１辺をケースの爪部等に引っ掛け（斜めに挿入し）、次に基板の反対側を押すようにして（弧を描くようにして）ケースに配置する構造とすることができる。そのような構造を採用した場合、サブ系ではコネクタ外周面とコネクタ開口部の内周面との隙間をメイン系よりも大きく確保することで、コネクタとケースとの干渉を回避している。
【０１６５】
なお、本実施の形態では、基板を基板ケースにねじ締めするものとしたが、基板ケースを基板にねじ締めする構造としてもよい。また、基板を基板ケースに固定する固定部材としてねじを用いたが、ピン等を用いてもよい。ピンとしては、例えば、孔（基板と基板ケースに設けられた貫通孔）を通過する際には直径が小さくなるが、孔を通過した後に、両端部の直径が大きくなり、両端部に抜け止め部が形成されるものがある。そのようなピンを用いた場合、抜け止め部をつまんで直径を小さくしない限り、基板および基板ケースがピンから外れることはない。
【０１６６】
図３５に示すＰＯ部、すなわち筐体（裏箱）１１１の内部の左下には電源スイッチが設けられている。なお、図３５では、電源スイッチが蓋に覆われた状態を示している。ここで電源スイッチが基板に実装されているタイプであり、その基板がケースに覆われている場合について説明する。ケースには、電源スイッチを露出させるための電源開口部が設けられている。所定方向の電源開口部の開口寸法と、それと同方向の電源スイッチの外形寸法との差Ｍ（寸法差Ｍ）は、約６ｍｍとなっている。すなわち、電源スイッチが電源開口部の中央に位置している状態では、電源スイッチの外周面と電源開口部の内周面との間に、全周にわたって約３ｍｍの隙間が形成されている。また、ケースは側板部を有しており、所定方向の対向する一対の側板部間のケース内側寸法と、それと同方向の基板の外形寸法との差Ｎ（寸法差Ｎ）は、約１ｍｍとなっている。すなわち基板がケースの中央に配置されている状態では、基板の外周面とケースの内周面（側板部）との隙間は、約０．５ｍｍとなっている。このように、電源ユニットにおいても、寸法差Ｍ（約６ｍｍ）が寸法差Ｎ（約１ｍｍ）よりも大きくなるように形成されている。このため、電源スイッチの外周面と電源開口部の内周面とが接触するよりも先に、基板の外周面とケースの内周面とが接触する。これにより、電源スイッチの変形、破損や、電源スイッチが基板から外れるという問題の発生を防ぐことができる。
【０１６７】
（第４の実施の形態）
次に第４の実施の形態について説明する。
本実施の形態では、図１（第１の実施の形態）で示したスロットマシン１００のリール照明基板ユニットを用いて説明するが、本内容はリール用の照明に限らず、スロットマシン１００における他の照明装置（例えば上扉１１２ａの照明装置）にも適用することができる。さらには、パチンコ遊技機１（第２の実施の形態）における各照明装置にも適用することができる。
【０１６８】
図４１（ａ）は、液晶表示装置ＬＣＤとリールユニットＲＵを一体の状態としたものを正面側から見た斜視図であり、図４１（ｂ）は同背面側から見た斜視図である。液晶表示装置ＬＣＤとリールユニットＲＵとの間には、図１で示したリール１３１〜１３３に光を照射するための照明基板ユニット（詳細は後述する）が設けられている。液晶表示装置ＬＣＤは透過型の液晶モジュールを備えている。すなわち、リールの前方で演出等の画像が表示されるとともに、奥のリールが視認可能となっている。このようにリールの前方に透過液晶を設けた場合、奥のリールを視認可能とするためにリールを明るく照らす必要がある。すなわち、定められたスペース内で照明基板ユニットのＬＥＤ基板に配置するＬＥＤの数を多くする必要がある。しかし、ＬＥＤの数を多くするほど（基板に多数のＬＥＤを密集させて配置するほど）、ＬＥＤの発光に伴う発熱量が大きくなり、ＬＥＤが破損するおそれがある。そこで、本実施の形態では、ＬＥＤ基板に多数のＬＥＤを配置した場合でも、ＬＥＤが破損することのない構造としている。
【０１６９】
図４２に示すように、本実施の形態の照明基板ユニット８０は、ＬＥＤ基板（基板）８１、放熱シート８２、および放熱板８３等を備えている。照明基板ユニット８０は、下方からのねじ締めにより、ベース部８４の側部（下方側部）に固定されるようになっている。以下、ベース部８４の下方に固定される照明基板ユニット８０について説明するが、ベース部８４の上方にも同等の構成を有する照明基板ユニットが配置されている。すなわち、リールには、上下からそれぞれ光が照射されるようになっている。
【０１７０】
照明基板ユニット８０は、左右対称に形成された一対の（２つの）ＬＥＤ基板８１，８１を備えている。ＬＥＤ基板８１は、左右方向に延びる長尺板状に形成されている。また、ＬＥＤ基板８１は、左右方向に沿って、所定の間隔毎に配置された複数のＬＥＤ（光源）８１ａを備えている。また、ＬＥＤ基板８１は、左右方向の外側端部に配置されたコネクタ８１ｂを備えている。１つのＬＥＤ基板８１は、例えば２１個から４２個のＬＥＤ８１ａを備えている。このＬＥＤ８１ａの光はリールに照射される。なお、本実施の形態では、ＬＥＤ基板８１を２つ並べて設けているが、１つとしてもよく、また２つ以上としてもよい。
【０１７１】
また、照明基板ユニット８０は、左右対称に形成された一対の（２つの）放熱シート８２，８２を備えている。放熱シート８２は、ＬＥＤ基板８１に対応する外形を有し、薄いシート状（例えば厚さ約１ｍｍ）に形成されている。なお、本実施の形態では、放熱シート８２がＬＥＤ基板８１に対応する外形を有するものとしたが、放熱シート８２は、少なくともＬＥＤ基板８１の複数のＬＥＤ８１ａが配置されている位置に対向（対応）する位置に設けられていればよい。この放熱シート８２は、ＬＥＤ基板８１におけるＬＥＤ配置面（基板の表面）とは反対側の面（基板の裏面）に接触（当接）している。放熱シート８２は、熱伝導性を有するとともに絶縁性を有する材料で形成され、本実施の形態ではシリコンで形成されている。放熱シート８２は、熱伝導シートと言うこともできる。放熱シート８２は、放熱板８３とＬＥＤ基板８１との間に挟まれるようにして保持されている。なお、本実施の形態では、放熱シート８２を２つ並べて設けているが、１つとしてもよく、また２つ以上としてもよい。
【０１７２】
次に、図４３を用いて放熱板８３について説明する。図４３は、放熱板（板金）８３を前方から見た斜視図である。放熱板８３は、左右方向に延びる長尺状に形成され、放熱シート８２と接触する平面部８３ａと、平面部８３ａの端部から放熱シート８２側とは反対側（本例では下側）に向かって延びる側面部８３ｂとを備えている。この放熱板８３は金属で形成されており、本実施の形態ではアルミ製となっている。金属としては熱伝導性が高い材料がより好ましい。平面部８３ａと側面部８３ｂは、金属製の板を折り曲げることによって形成されている。放熱板８３を金属板の折り曲げのみによって形成できるようにすることで、製造に要する時間を短縮し、コストを下げることができる。また、本実施の形態では、側面部８３ｂの両側から前方に向かって延びる凸部８３ｃがさらに設けられている。放熱板８３が側面部８３ｂや凸部８３ｃを備えていることで、放熱板８３の面積（表面積）が大きくなっている。ヒートシンクとしての機能を担う放熱板８３の面積を大きくすることによって、放熱板８３の外部への放熱効果をさらに高めることができる。
【０１７３】
図４４を用いて、熱の流れについて説明する。（１）ＬＥＤ基板８１のＬＥＤ８１ａが発光することに伴い熱が発生する。（２）放熱シート８２は、ＬＥＤ基板８１側から熱を受けるとともに、その熱を放熱板８３側に逃がす（伝導する）。（３）放熱板８３は、放熱シート８２から熱を受けるとともに、その熱を外部に放出する。放熱量は、放熱シート８２および放熱板８３の材質、面積によって変化するようになっている。
【０１７４】
本実施の形態の照明基板ユニット８０によれば、複数のＬＥＤ８１ａが配置されたＬＥＤ基板８１と、ＬＥＤ基板８１のＬＥＤ８１ａが配置されている側の面とは反対側の面に接触し、熱伝導性を有する放熱シート８２と、放熱シート８２のＬＥＤ基板８１に接触する側の面とは反対側の面に接触する金属製の放熱板８３とを備える。このため、ＬＥＤ基板８１に複数のＬＥＤ８１ａを配置し、ＬＥＤ８１ａからの発熱量が大きくなった場合でも、熱を速やかに発散させることができる。これにより、ＬＥＤ８１ａの破損を防ぐことができる。
【０１７５】
なお、本実施の形態では、図４３で示したように、放熱板８３において側面部８３ｂを平面部８３ａの片側（後方側）のみに設けた。ただし、これに限らず、側面部８３ｂを平面部８３ａの両側（すなわち前方側と後方側）に対向するようにそれぞれ設けてもよい。すなわち、放熱板８３を側方から見た場合に、略コ字状となるようにしてもよい。この場合でも金属板の折り曲げのみによって放熱板８３を形成できる。放熱板８３を、側方から見てコ字状となるように形成することで、放熱板８３の面積をより大きくし、放熱効果をさらに高めることができる。なお、側面から見てコ字状とした場合に、対向する側面部８３ｂ，８３ｂ間を連結するリブを、左右方向に沿って所定の間隔毎に複数設けてもよい。この場合、放熱板８３を折り曲げのみによって形成することは困難となるが、放熱板８３の面積をより大きくすることができ、放熱効果をさらに高めることができる。
【０１７６】
また、ＬＥＤ基板８１に複数のスルーホール（スルーホールビア、ビアホール）をさらに設けてもよい。スルーホールは、ＬＥＤ８１ａ配置面側（基板の表面側）の熱を、基板の裏面側（放熱シート８２側）に通過させる機能を担う。スルーホールの数は、例えばＬＥＤ８１ａの数よりも多く設ける。また、スルーホールを設ける位置は、熱を逃がすという観点から、ＬＥＤ８１ａの付近（ＬＥＤ８１ａの周囲）であることがより好ましい。例えば、１個のＬＥＤの周囲に４個のスルーホールを設けてもよい（ＬＥＤ１個の４倍の数）。スルーホールを設ける場合、放熱シート８２は、少なくともスルーホールが形成されている位置と対応（対向）する位置に設けられている。ＬＥＤ基板８１と金属製の放熱板８３との間に絶縁性を有する放熱シート８２を介在させることで、ＬＥＤ基板８１（スルーホールあり）と放熱板８３とが直接接触して短絡するのを回避でき、スルーホールを設けることができる。
【０１７７】
このようにＬＥＤ基板８１は複数のスルーホールを備え、複数のスルーホールに対応する位置に放熱シート８２が配置されている。このため、ＬＥＤ基板８１と放熱板８３とが直接接触して短絡するのを回避しつつ、基板表面のＬＥＤ８１ａの熱を、基板の裏面側（放熱シート８２側）により移動させやすくすることができる。これにより、放熱効果がさらに高まり、ＬＥＤ８１ａの破損リスクをより低減できる。
【０１７８】
また、スルーホールを設ける場合、直径をすべて同一としてもよいが、直径の異なるスルーホール、すなわち大径スルーホールと小径スルーホールを設けてもよい。例えば、ＬＥＤ８１ａの周囲のスルーホールは小径スルーホールとし、スルーホールの数を多くすることを優先させてもよい。ただし、その場合でも、ＬＥＤの付近に印字されている識別符号（例えば「ＬＥＤ１０」という文字）とスルーホールとは重ならないようになっており、識別符号の視認性が確保されている。また、例えば、大径スルーホールを主にグランドライン用とし、小径スルーホールを主に信号ライン用としてもよい。
【０１７９】
また、例えばリール照明用の場合、ＬＥＤ８１ａはいずれも白色のものが用いられ、全点灯または全消灯するように制御される。ただし、ＬＥＤ８１ａの仕様はこれに限らず、発光色および点灯数は、各照明装置ごとに適宜設定すればよい。
【０１８０】
（第５の実施の形態）
次に、本発明の第５の実施の形態について説明する。なお、第５の実施の形態では遊技機の一つであるスロットマシンについて説明するが、その他の遊技機であってもよい。なお、本実施形態のスロットマシンにおいて、第１の実施の形態と同様の構成については、その説明を省略ないし簡略化する。
【０１８１】
図４５に本実施形態の遊技機の上扉１１２ａ部分を示す。上扉１１２ａには、液晶ディスプレイ８１３、および意匠部材１５０，１５０が設けられている。
【０１８２】
液晶ディスプレイ（表示装置）８１３は、その表示領域（表示面）８１４に各種演出用の画像（動画、静止画）が表示されるようになっている。また、表示領域８１４は、第１表示領域８１４ａと第２表示領域８１４ｂとを有している。第１表示領域８１４ａは、液晶ディスプレイ８１３の正面視において、略下半分に横長の矩形状に形成されている。液晶ディスプレイ８１３は、透過型の液晶ディスプレイとなっており、第１表示領域８１４ａの後方にある部材を視認可能な状態とすることができるようになっている。
【０１８３】
第１表示領域８１４ａの後方には、リールユニット１３０が、その一部が第１表示領域８１４ａを介して視認可能となるように配置されている。そして、リール１３１，１３２，１３３が停止すると、第１表示領域８１４ａを介して１リール当たり３個の連続する図柄が表示される。また、第１表示領域８１４ａには、各リール１３１，１３２，１３３の図柄を視認するための表示位置として、上段、中段、下段が設けられており、各リール１３１，１３２，１３３の表示位置の組合せによって有効ラインが設定されている。
【０１８４】
第１表示領域８１４ａは、透明な状態と演出画像を表示した状態とを含む複数の状態を有している。そして、第１表示領域８１４ａが透明な状態においては、リール１３１，１３２，１３３の図柄が視認可能な状態となる。また、第１表示領域８１４ａが演出画像を表示した状態においては、リール１３１，１３２，１３３の前方に演出画像が表示されるなお、第１表示領域２０１が演出画像を表示した状態において、リール１３１，１３２，１３３の図柄は視認可能（視認容易）となっていてもよく、視認不可能（視認困難）となっていてもよい。このように第１表示領域８１４ａは、リール１３１，１３２，１３３の図柄が視認可能で、かつ演出用の画像を表示可能な領域となっている。
【０１８５】
第２表示領域８１４ｂは、液晶ディスプレイ８１３の表示領域８１４のうち、第１表示領域８１４ａを除いた部分であり、本実施の形態では、第１表示領域８１４ａより上側の広い横長矩形の領域、第１表示領域８１４ａより下側の狭い横長矩形の領域および第１表示領域８１４ａより左右側の縦長矩形の狭い領域によって構成されている。つまり、第２表示領域８１４ｂは、第１表示領域８１４ａを囲むように配置されている。第２表示領域８１４ｂは、演出用の画像を表示可能となっており、第２表示領域８１４ｂと第１表示領域８１４ａとにわたって一つのまとまりのある画像を表示することもできるようになっている。また、第２表示領域８１４ｂは、透明な状態を有さず、後方にある部材を透過させて視認可能とすることはできないようになっている。ただし、第２表示領域８１４ｂも透明な状態を有していてもよい。換言すると、表示領域８１４全体が第１表示領域８１４ａとなっていてもよい
【０１８６】
図４５および図４６に液晶ディスプレイ８１３と意匠部材１５０，１５０との位置関係を示す。ここで、図４６は、液晶ディスプレイ８１３および意匠部材１５０，１５０を上方から見た断面図である。意匠部材１５０，１５０は、液晶ディスプレイ８１３を挟んで上扉１１２ａの左右両側に配置されている。また、意匠部材１５０，１５０は、上下に長尺な略方形箱状となっている。また、意匠部材１５０，１５０は、上下方向の長さが液晶ディスプレイ８１３と略同一であり、液晶ディスプレイ８１３の左右の辺それぞれに沿って配置されている。また、意匠部材１５０，１５０は、その前面が、液晶ディスプレイ８１３よりも前方に位置するよう、前方に突出して配置されている。そして、左右の意匠部材１５０，１５０の間から表示領域８１４が見えるようになっている。換言すると、意匠部材１５０，１５０によって幅が画定される開口を介して表示領域８１４が見えるようになっている。また、左右の意匠部材１５０，１５０は、互いにほぼ左右対称の構造を有しており、その配置もほぼ左右対称となっている。
【０１８７】
意匠部材は、遊技機の外観を装飾する部材である。本実施形態の遊技機においては、意匠部材１５０は、照明装置（サイドランプ）となっているが、発光しないものであってもよい。
【０１８８】
意匠部材１５０は、左右方向内側の側面（内壁８２０）が、左右方向内側に向かって膨らんだ形状となっている。具体的には、内壁８２０は、前後方向における中央部が最も内側に位置するように膨らんだ形状となっており、これにより突出部８２２が形成されている。意匠部材１５０は、その内部に設けられた２種類のスピーカ８３０および照明用のＬＥＤ基板（図示せず）と、これらを覆う外装部材８３２とを備えており、突出部８２２が形成されていることにより、スピーカおよびＬＥＤ基板を収納するスペースが確保されている。
【０１８９】
突出部８２２は、液晶ディスプレイ８１３よりも前方に位置しており、かつ表示領域８１４の外縁よりも左右方向内側に突出している。そして、一方の意匠部材１５０の突出部８２２の頂点から他方の意匠部材１５０までの距離Ｗ１（液晶ディスプレイ８１３の表示面に平行な平面における、一方の意匠部材１５０から他方の意匠部材１５９までの最短距離）は、液晶ディスプレイ８１３の表示領域８１４の左右方向の幅Ｗ２よりも短くなっている。そして、正面側から液晶ディスプレイ８１３を見た場合に、突出部８２２は、表示領域８１４の外縁よりも表示領域８１４側に入り込んだ状態となっている。
【０１９０】
なお、突出部８２２は、意匠部材１５０の前後方向における中央部に形成されていなくてもよく、例えば、前後方向における前側に形成されていてもよい。換言すると、意匠部材１５０の前面が、左右方向において最も内側に突出するようになっていてもよい。この場合、意匠部材１５０の前面を大きくし、意匠部材１５０の存在感を高めることができる。
【０１９１】
また、意匠部材１５０の内壁８２０は、突出部８２２（突出部８２２の頂点）から後方に向かうにつれて表示領域８１４の外側に向かう形状となっている。換言すると、意匠部材１５０の内壁８２０は、突出部８２２よりも後ろ側が、後方に向かうにつれて徐々に左右方向外側に向かう形状となっている。具体的には、内壁８２０は、突出部８２２の頂点よりも後ろ側に、後方に向かうにつれて左右方向外側に向かう傾斜面８２４を有している。
【０１９２】
また、意匠部材１５０の内壁８２０の後端は、液晶ディスプレイ８１３の前面に当接あるいは近接している。また、この意匠部材１５０（内壁８２０）と液晶ディスプレイ８１３の前面との当接部（近接部）Ｐは、液晶ディスプレイ８１３の表示領域８１４よりも外側に位置している。本実施形態の遊技機においては、当接部Ｐは、表示領域８１４の外縁とほぼ面一となっており、左右の意匠部材１５０，１５０の当接部Ｐ間の距離は前記幅Ｗ２とほぼ同一となっている。
【０１９３】
以上から明らかなように、意匠部材１５０は、その一部が、前後方向（表示領域８１４に垂直な方向）において表示領域８１４の一部と重なり合うようになっており、表示領域８１４の一部を覆った状態となっている。また、意匠部材１５０は、内壁８２０の後端（液晶ディスプレイ８１３の前面に当接する部分）が、前後方向（表示領域８１４に垂直な方向）において表示領域８１４と重ならないようになっており、表示領域８１４を覆わないようになっている。すなわち、意匠部材１５０の表示領域８１４を覆う部分（突出部８２２）と液晶ディスプレイ８１３との間には、表示領域８１４の端部を視認可能とする空間が形成されている。
【０１９４】
遊技者等の視点における表示領域８１４の可視範囲（見える範囲）は、遊技者等の立ち位置によって、変わるようになっている。具体的には、前述のように、意匠部材１５０の一部が前後方向において表示領域８１４の一部と重なり合っているため、遊技機の正面側（表示領域８１４に垂直な方向）の無限遠から見た場合（換言すると遊技機の正面図（垂直投影図）において）、表示領域８１４はその一部が意匠部材１５０によって覆い隠され、遊技者から見えないようになっている（図４５参照）。一方、所定の位置、具体的には遊技者のアイポイントＱからは、遊技者が顔を上下左右に動かすことなく表示領域８１４の全体を視認することができるようになっている。ここで、遊技者のアイポイントＱとは、椅子に座って遊技をするときの遊技者の目の位置を意味する。すなわち、遊技機の近くでは表示領域８１４の全体を視認することができる一方、遊技機の遠くでは表示領域８１４の全体を視認することができないようになっている。換言すると、顔を動かすことなく表示領域８１４の全体を視認できるか否かは、前後方向（表示面に垂直な方向）における遊技機と遊技者の目との距離が所定距離未満か所定距離以上かによって変わるようになっている。この距離は、遊技をする状態における遊技者が表示領域８１４の全体を視認することができるようにすることが望ましく、具体的には、例えば、前後方向における液晶ディスプレイ８１３（表示領域８１４）と遊技者の目との距離が５０〜９０ｃｍ未満の場合に、遊技者が顔を上下左右に動かすことなく表示領域８１４全体を視認することができるようになっているとよい。換言すると、液晶ディスプレイ８１３からの距離が５０〜９０ｃｍ未満である所定点Ｑから表示領域８１４の外縁までの直線上に意匠部材１５０の内壁８２０がかからないようになっているとよい。
【０１９５】
また、遊技機の正面側の無限遠から見た場合であっても、特定の表示については、意匠部材１５０に覆い隠されないようになっている。ここで、特定の表示には、複数のストップボタン１２４の操作順序を指示（示唆）する表示（いわゆるアシストタイムにおいて表示される打順のナビ）、遊技機のメーカー名あるいはロゴの表示、遊技者が遊技にのめり込み過ぎてしまうことを防止するための表示（のめり込み防止表示：注意喚起表示）等が含まれる。なお、のめり込み防止表示とは、「パチンコ・スロットは適度に楽しむ遊びです。のめり込みに注意しましょう。」等の、遊技者に対する注意喚起をする文字の表示である。遊技機のメーカー名あるいはロゴの表示や、のめりこみ防止表示は所定期間遊技が行われなかった場合に表示されるデモ画面等において表示される。
なお、ここで挙げた特定の表示の全てを、無限遠から見た場合であっても視認可能とすることとしなくてもよい。また、遊技に関する数値の表示は、無限遠から見た場合に、各数値の一部あるいは全体が意匠部材１５０に覆い隠されるようになっていてもよい。ここで、遊技に関する数値の表示とは、遊技者が特定区間（特定期間）において行った遊技の回数に関する表示や、１回の遊技あるいは特定区間（特定期間）において払い出されたメダルの払い出し枚数に関する表示や、所定の遊技状態あるいは演出状態において実行可能な遊技の回数に関する表示や、所定の遊技状態あるいは演出状態において獲得可能なメダルの枚数に関する表示や、前述のナビの回数に関する表示や、演出に関するカウンタのカウント値の表示等が含まれる。
【０１９６】
また、遊技機の正面側の無限遠から見た場合であっても、第１表示領域８１４ａについては、意匠部材１５０に覆い隠されないようになっている。換言すると、表示領域８１４に垂直な方向の無限遠から見た場合であっても、リール１３１，１３２，１３３については、意匠部材１５０に覆い隠されないようになっており、リール１３１，１３２，１３３の図柄が視認可能となっている。
【０１９７】
以上のように、本実施形態の遊技機は、演出画像を表示領域８１４に表示する液晶ディスプレイ８１３と、意匠部材１５０と、を備え、意匠部材１５０は、液晶ディスプレイ８１３よりも前方において表示領域８１４の外縁よりも内側に突出する突出部８２２を有するとともに、突出部８２２から後方に向かうにつれて表示領域８１４の外側に向かう形状となっており、表示領域８１４の全体が視認可能となっている。したがって、遊技者の視認可能な範囲を広くすることができ、遊技者の遊技意欲を向上させることができる。また、遊技者の視認可能な領域を確保した上で意匠部材１５０を大型化することができるので、遊技機の装飾性を高めたり、意匠部材の内部に音の優れた大型のスピーカを配置したりすることができ、遊技者の遊技意欲を向上させることができる。
【０１９８】
なお、本実施形態においては、突出部８２２を有し表示領域８１４の全体を視認可能とする意匠部材１５０が、液晶ディスプレイ８１３の横に配置されるものとしたが、液晶ディスプレイの上または下に配置されるものであってもよい。また、本実施形態においては、透過型の液晶ディスプレイ８１３の場合を例に液晶ディスプレイと意匠部材１５０との関係を説明したが、第１の実施の形態に示すような透過型でない液晶ディスプレイ１１３等に対して本発明を適用してもよい。
【０１９９】
（第６の実施の形態）
次に、本発明の第６の実施の形態について説明する。第５の実施の形態は、液晶ディスプレイ８１３と意匠部材１５０との関係について規定し、意匠部材を大型化しつつ液晶ディスプレイの視認性を確保したものであるが、第６の実施の形態は、意匠部材を大型化しつつ遊技領域を移動する遊技媒体の視認性を確保したものである。また、第６の実施の形態はパチンコ遊技機について説明したものである。本実施形態のパチンコ遊技機において、第２の実施の形態と同様の構成については、その説明を省略ないし簡略化する。
【０２００】
本実施形態の遊技機では、図４７に示すように、遊技領域４が左側に位置する左打ち領域４ａと右側に位置する右打ち領域４ｂとに区画されており、遊技者が遊技球の発射強度を変化させることにより、異なる領域に遊技球を落下させることができるようになっている。
【０２０１】
また、遊技領域４の上端部には、左打ち領域４ａと右打ち領域４ｂとを繋ぐ遊技球通路８４０が設けられている。そして、所定の発射強度以上で発射装置から発射された遊技球は遊技球通路８４０を通過して右打ち領域４ｂに進む一方、所定の発射強度未満で発射装置から発射された遊技球は遊技球通路８４０を通過せずに左打ち領域４ａに進むようになっている。
【０２０２】
遊技球通路８４０は、外レール２８と、この外レール２８に沿って、外レール２８よりも下方に設けられたレール８４１とによって形成されている。また、遊技球通路８４０は、外レール２８の上端を含んで形成されている。また、遊技球通路８４０の幅は、最も狭い部分で、遊技球１個分の直径よりも長く、遊技球２個分の直径よりも短くなっている。また、この遊技球通路８４０の幅が最も狭くなる部分は、遊技球通路８４０の頂部、換言すると外レール２８の上端（頂部）とレール８４１の当該上端に対向する部分によって形成される部分、さらに換言すると遊技領域４の上端に位置する部分となっている。
【０２０３】
また、本実施形態の遊技機では、図４８および図４９に示すように、前枠１０の上部に、左右方向に長尺な略方形箱状の意匠部材８５０が設けられている。また、意匠部材８５０は、左右方向の長さが前枠１０の左右方向の長さの半分以上となっている。また、意匠部材８５０は、その前面が、遊技領域４およびガラスユニット８よりも前方に位置するよう、前方に突出して配置されている。
なお、本実施形態の遊技機においては、ガラスユニット８は、板面を平行にして前後方向に並べられた２枚の透明板（ガラス板）８ａ，８ｂを有している。
【０２０４】
意匠部材８５０は、その内部に設けられた照明用のＬＥＤ基板（図示せず）と、これを覆う外装部材８５１とを備えており、外装部材８５１の内側に、ＬＥＤ基板を収納するスペースが確保されている。また、外装部材８５１の意匠部材８５０前面を構成する部分には機種名等を表わすロゴが付されており、内部に設けられたＬＥＤ基板によってロゴが光るようになっている。
なお、意匠部材８５０の内部にスピーカ等が設けられていてもよい。
【０２０５】
意匠部材８５０の下面８５２は、前側部分が最も下方に位置している。また、当該前側部分は、水平面に略平行な平面８５３となっている。また、意匠部材８５０の下面８５２は、平面８５３の後端より後ろ側が、水平面に対して傾斜した傾斜面８５４となっている。そして、意匠部材８５０の下面８５２は、後側部分（傾斜面８５４部分）が、後方に向かうにつれて上方に向かう形状となっている。すなわち、意匠部材８５０は、後側部分よりも前側部分が下方に突出しており、突出部８５６が形成されている。また、意匠部材８５０の下面８５２（傾斜面８５４）の後端は、ガラスユニット８に当接または近接している。
なお、意匠部材８５０の下面８５２の後端の形状は、外レール２８の形状に沿って形成されていてもよい。すなわち、下面８５２の後端が、正面から見た場合に上側に凸となるように湾曲した形状となっていてもよい。また、これに合わせて下面８５２（傾斜面８５４）の形状が上側に向けてくぼんだすり鉢状となっていてもよい。
【０２０６】
図４９は、図４８のＡ−Ａ線断面における要部の概略図であり、遊技領域４の上端（頂部：外レール２８の上端）を通る上下方向および前後方向に平行な面で切った断面を示すものである。図４９に示す断面は、レール８４１の上端（頂部）および意匠部材８５０の下面８５２の後端の上端（頂部）も通っている。
【０２０７】
意匠部材８５０の下面８５２の後端は、遊技領域４の上端に対応する部分（遊技領域４上端の前方部分）において、遊技領域４の上端よりも下方に位置している。換言すると、意匠部材８５０の下面８５２の後端は、遊技球通路８４０の上面８４０ａの上端よりも下方に位置している。また、意匠部材８５０の下面８５２の後端は、遊技球通路８４０の下面８４０ｂの上端よりも上方に位置している。また、意匠部材８５０の下面８５２の後端は、遊技領域４の上端に位置した状態の遊技球Ｂ（遊技球通路８４０の上面８４０ａの上端に接した状態の遊技球）の下端よりも上方に位置している。より具体的には、当該状態の遊技球Ｂの中心（図４９に一点鎖線Ｃで図示）よりも上方に位置している。
【０２０８】
また、突出部８５６は、遊技領域４の上端に位置した状態の遊技球Ｂの中心よりも下方突出している。換言すると、突出部８５６の下端は、当該状態の遊技球Ｂの中心よりも下方に位置している。より具体的には、突出部８５６の下端は、当該状態の遊技球Ｂの下端よりも下方に位置している。また、突出部８５６は、遊技球通路８４０の下面８４０ｂの上端よりも下方に突出している。
【０２０９】
以上から明らかなように、意匠部材８５０は、前後方向（遊技盤６およびガラスユニット８に垂直な方向）において、遊技領域４の上端に位置した状態の遊技球Ｂと重なり合うようになっており、当該状態の遊技球Ｂ全体を覆うようになっている。また、意匠部材８５０は、下面８５２の後端における遊技領域４の上端に対応する部分（遊技領域４上端の前方部分）が、前後方向（遊技盤６およびガラスユニット８に垂直な方向）において、遊技領域４の上端に位置した状態の遊技球Ｂの少なくとも下半分と重ならないようになっており、当該状態の遊技球の少なくとも下半分を覆わないようになっている。また、下面８５２の後側部分は、傾斜面８５４となっている。このため、遊技球が遊技領域４の上端に位置する場合であっても、遊技領域４を転がる遊技球を遊技者が容易に視認できるようになっている。ここで、所定の位置、具体的には遊技者のアイポイントからは、遊技者が顔を上下左右に動かすことなく当該状態の遊技球の少なくとも下半分が見えるようになっていることが好ましい。遊技者のアイポイントとは、椅子に座って遊技をするときの遊技者の目の位置を意味する。具体的には、例えば、前後方向におけるガラスユニット８と遊技者の目との距離が５０〜９０ｃｍ未満の場合に、遊技者が顔を上下左右に動かすことなく当該状態の遊技球の少なくとも一部（下半分）を視認することができるようになっているとよい。換言すると、ガラスユニット８からの距離が５０〜９０ｃｍ未満である所定点から遊技領域４の上端に位置する遊技球Ｂ（遊技球Ｂの中心よりも下側の部分）までの直線上に意匠部材８５０がかからないようになっているとよい。
【０２１０】
（第７の実施の形態）
次に、本発明の第７の実施の形態について説明する。本実施の形態は、スロットマシンやパチンコ遊技機等の遊技機の基板９００に係る発明についてのものである。基板９００は、メイン基板、サブ基板、遊技機端子板（外部端子板や遊技球等貸出装置接続端子板等）、あるいは他の実施の形態で示した各種基板等を含むいずれの基板であってもよい。
なお、外部端子板とは、遊技機を外部の電子機器（データ表示装置やホールコンピュータ等）に接続するためのものであり、この外部端子板からは、遊技機の状態等を表す各種の外部情報信号が外部の電子機器に向けて出力されるようになっている。また、遊技球等貸出装置接続端子板は、遊技機を遊技媒体を貸し出す貸出装置に接続するためのものであり、この遊技球等貸出装置接続端子板を介して貸出装置との情報の送受信が可能となっている。
【０２１１】
基板９００には、図５０に示すように、複数の電子部品９０１が実装されている。ここで、電子部品とは、例えば、ＩＣ、抵抗、コンデンサ、コイル、ダイオードまたはコネクタ等である。また、基板９００には、複数のスルーホール（ビアホール）９０２が設けられている
【０２１２】
また、基板９００は、第１基板識別表示９１１と第２基板識別表示９１２との２つの基板識別表示を有している。ここで、基板識別表示とは、基板に関する情報を示すもの、具体的には各基板を識別可能とする表示であり、複数の文字や数字、記号等によって表されている。
【０２１３】
第１基板識別表示９１１と第２基板識別表示９１２とは、同一の内容（情報）の表示となっている。具体的には、第１基板識別表示９１１と第２基板識別表示９１２とは、同一の文字列「ＡＢＣ０１」の表示となっている。
【０２１４】
また、第１基板識別表示９１１は、エッチング加工により形成されたエッチング文字となっている。換言すると、第１基板識別表示９１１は、銅箔により形成された銅箔文字となっている。一方、第２基板識別表示９１２は、シルク印刷により形成されたシルク文字となっている。第１基板識別表示９１１と第２基板識別表示９１２とは、エッチング文字とシルク文字とで異なることから、光の反射率、散乱の仕方等が異なり、見え方が異なるようになっている。
【０２１５】
基板９００は、緑色の基板となっている。また、第１基板識別表示９１１は、エッチング文字であり基板９００の配線パターンと同様に形成されているため、配線パターンと同じ色（同系色）、具体的には緑色となっている。また、第２基板識別表示９１２は、第１基板識別表示９１１および配線パターンと異なる色（同系色でない色）、具体的には白色となっている。
なお、第２基板識別表示９１２を、第１基板識別表示９１１や配線パターンと同系色としてもよい。
【０２１６】
また、第１基板識別表示９１１と第２基板識別表示９１２とは、表示サイズが同一となっている。すなわち、第１基板識別表示９１１の文字列「ＡＢＣ０１」と第２基板識別表示９１２の文字列「ＡＢＣ０１」とは、大きさが同一となっている。なお、これらの表示サイズは完全に同一でなくてもよいが、視認したときに略同一とみなせる範囲（例えば、一方の表示に対して縦横の長さが±１０％以内の差異）であることが好ましい。
【０２１７】
また、第２基板識別表示９１２は、第１基板識別表示９１１を、基板９００の短辺（図５０における左右の辺）に対して平行に移動させた位置に配置されている。なお、第２基板識別表示９２２は、第１基板識別表示９１１を、基板９００の長辺（図５０における上下の辺）に対して平行に移動させた位置に配置してもよい。このように、第１基板識別表示９１１を面内において基板９００のいずれかの辺に対して平行に移動させた位置に、第２基板識別表示９１２を配置することで、観測者が識別表示を確認したい場合に識別表示を容易に発見することができる。
【０２１８】
また、第１基板識別表示９１１および第２基板識別表示９１２は、基板９００の面内における周縁部に配置されている。換言すると、第１基板識別表示９１１および第２基板識別表示９１２は、基板９００のいずれかの辺の近傍に、当該辺に沿って配置されている。
【０２１９】
また、第１基板識別表示９１１と第２基板識別表示９１２とは、表示方向、すなわち文字列の方向が同一となっている。具体的には、第１基板識別表示９１１と第２基板識別表示９１２とは、図５０において左から右に向かって読むように配置されているとともに、文字列の上下が図５０の上下と一致している。
【０２２０】
また、第１基板識別表示９１１の表示範囲と第２基板識別表示９１２の表示範囲とには、スルーホール９０２が設けられていない。具体的には、文字列「ＡＢＣ０１」の間にスルーホール９０２が存在しないようになっている。
【０２２１】
また、基板９００は、各電子部品９０１の近傍に各電子部品９０１を識別可能とする識別表示９０４を有している。具体的には、基板９００には、６個の抵抗９０１が実装されており、各抵抗９０１の近傍には、各抵抗９０１を識別するための識別表示９０４として、「Ｒ１」〜「Ｒ６」の文字列が記されている。また、基板９００には、４個のコンデンサ９０１が実装されており、各コンデンサ９０１の近傍には、各コンデンサ９０１を識別するための識別表示９０４として、「Ｃ１」〜「Ｃ４」の文字列が記されている。また、基板９００には、２個のＩＣ９０１が実装されており、各ＩＣ９０１の近傍には、各ＩＣ９０１を識別するための識別表示９０４として、「ＩＣ１」〜「ＩＣ２」の文字列が記されている。また、基板９００には、２個のコネクタ９０１が実装されており、各コネクタ９０１の近傍には、各コネクタ９０１を識別するための識別表示９０４として、「ＣＮ１」〜「ＣＮ２」の文字列が記されている。
【０２２２】
識別表示９０４は、全てシルク文字となっている。ただし、一部または全部の識別表示９０４がエッチング文字となっていてもよい。
【０２２３】
第１基板識別表示９１１および第２基板識別表示９１２は、基板９００に表示された他の識別表示よりも表示サイズが大きくなっている。具体的には、第１基板識別表示９１１および第２基板識別表示９１２は、どの識別表示９０４よりも表示サイズが大きくなっている。
【０２２４】
本実施形態の遊技機によれば、遊技機に設けられた所定の基板９００は、第１基板識別表示９１１と第２基板識別表示９１２とを有し、第１基板識別表示９１１はエッチング文字となっており、第２基板識別表示９１２はシルク文字となっているので、一方の基板識別表示が見えにくくなる場合でも、他方の基板識別表示を見やすくすることができる。すなわち、エッチング文字とシルク文字とでは、光の反射率、散乱の仕方等が異なるので、遊技機が設置されている遊技店等の環境（照明等の状態）等によって一方の基板識別表示の視認性が低下する場合でも、他方の基板識別表示の視認性の低下が抑えられ、識別表示を容易に確認することができる。また、特に遊技機筐体（第１の実施の形態の遊技機における筐体１１１等）の側板（内側面）に設けられる基板については、覗き込むようにして基板識別表示を確認する必要があることや、基板識別表示が基板上の部品の陰に位置したりすることがあることから、基板識別表示が見えにくくなることがあるが、本実施形態の遊技機においては、２つの基板識別表示を有しているので、基板識別表示を視認することが容易となる。
【符号の説明】
【０２２５】
１，１００  遊技機
７１０  ケース
７１１  天板部
７１２  側板部
７１３  コネクタ開口部
７２０  基板
７２１  コネクタ
【要約】      （修正有）【課題】品質の低下が抑制された遊技機を提供する。【解決手段】コネクタ７２１が配置された基板７２０と、基板７２０を内側に配置可能に形成されたケース７１０とを備え、ケース７１０は、基板７２０のコネクタ７２１が配置されている面と対向する天板部７１１と、天板部７１１の外周に沿って形成された側板部７１２と、天板部７１１のコネクタ７２１に対応する位置に形成されたコネクタ開口部７１３とを備え、所定方向のコネクタ開口部７１３の開口寸法と、前記所定方向のコネクタ７２１の外形寸法との差を第１の差とし、前記所定方向において対向する側板部７１２，７１２間のケース内側寸法と、前記所定方向の基板７２０の外形寸法との差を第２の差とすると、第１の差が第２の差よりも大きい。【選択図】図３５【図１】
0006744473.tif 000002
【図２】
0006744473.tif 000003
【図３】
0006744473.tif 000004
【図４】
0006744473.tif 000005
【図５】
0006744473.tif 000006
【図６】
0006744473.tif 000007
【図７】
0006744473.tif 000008
【図８】
0006744473.tif 000009
【図９】
0006744473.tif 000010
【図１０】
0006744473.tif 000011
【図１１】
0006744473.tif 000012
【図１２】
0006744473.tif 000013
【図１３】
0006744473.tif 000014
【図１４】
0006744473.tif 000015
【図１５】
0006744473.tif 000016
【図１６】
0006744473.tif 000017
【図１７】
0006744473.tif 000018
【図１８】
0006744473.tif 000019
【図１９】
0006744473.tif 000020
【図２０】
0006744473.tif 000021
【図２１】
0006744473.tif 000022
【図２２】
0006744473.tif 000023
【図２３】
0006744473.tif 000024
【図２４】
0006744473.tif 000025
【図２５】
0006744473.tif 000026
【図２６】
0006744473.tif 000027
【図２７】
0006744473.tif 000028
【図２８】
0006744473.tif 000029
【図２９】
0006744473.tif 000030
【図３０】
0006744473.tif 000031
【図３１】
0006744473.tif 000032
【図３２】
0006744473.tif 000033
【図３３】
0006744473.tif 000034
【図３４】
0006744473.tif 000035
【図３５】
0006744473.tif 000036
【図３６】
0006744473.tif 000037
【図３７】
0006744473.tif 000038
【図３８】
0006744473.tif 000039
【図３９】
0006744473.tif 000040
【図４０】
0006744473.tif 000041
【図４１】
0006744473.tif 000042
【図４２】
0006744473.tif 000043
【図４３】
0006744473.tif 000044
【図４４】
0006744473.tif 000045
【図４５】
0006744473.tif 000046
【図４６】
0006744473.tif 000047
【図４７】
0006744473.tif 000048
【図４８】
0006744473.tif 000049
【図４９】
0006744473.tif 000050
【図５０】
0006744473.tif 000051